(57)【要約】【課題】  特定の者以外の入場が制限された場所を、バスなどの移動体がその利用者を乗せた状態で通行する際に、入場が制限された者などによる不正を防ぐとともに、そのための確認の手間を減らすことを目的とする。【解決手段】  移動体機器２００は、各非接触ＩＣカード１０３から読み取った従業員ＩＤに基づいて各従業員１０２を認証し、認証した従業員１０２の従業員ＩＤを車載器５００に転送する。車載器５００は、路側機７００とＤＳＲＣによる無線通信を行って、移動体機器２００により転送された従業員ＩＤと車載器ＩＤを路側機７００に送信する。そして、送信した従業員ＩＤと車載器ＩＤに対する応答を路側機７００から受信し、受信した応答に基づいて、バス１００が移動体機器２００により認証された従業員１０２を乗せた状態で通行することが許可されたかどうかを運転手１０１に通知する。【選択図】        図２
2007065705.tif 000002
【特許請求の範囲】
【請求項１】
所定の場所に設置された基地局装置と、前記基地局装置と無線通信を行う移動体通信装置を具備する移動体と、前記移動体の複数の利用者による前記所定の場所の通行を管理する通行管理装置とを備える通行管理システムにおいて、
前記移動体は、前記複数の利用者の各利用者の記録媒体から各利用者に係る情報を読み取り、読み取った情報に基づいて各利用者を認証し、認証した利用者に係る情報を前記移動体通信装置に転送する移動体機器を備え、
前記移動体通信装置は、前記移動体機器により転送された情報を記憶装置に記憶し、前記記憶装置に記憶された情報を前記基地局装置に送信するとともに、送信した情報に対する応答を前記基地局装置から受信し、受信した応答に基づいて前記移動体が前記移動体機器により認証された利用者を乗せた状態で通行することが許可されたかどうかを示す情報を出力し、
前記基地局装置は、前記移動体通信装置により送信された情報を受信するとともに、前記通行管理装置により生成される応答を前記移動体通信装置に送信し、
前記通行管理装置は、前記基地局装置により受信された情報に基づいてどの利用者が通行したかを示す情報を出力するとともに、前記基地局装置により受信された情報に対して前記応答を生成することを特徴とする通行管理システム。
【請求項２】
所定の場所に設置された基地局装置と、前記基地局装置と無線通信を行う移動体通信装置を具備する移動体と、前記移動体の複数の利用者による前記所定の場所の通行を管理する通行管理装置とを備える通行管理システムにおいて、
前記移動体は、
前記複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記認証記憶部に記憶された利用者識別情報を前記移動体通信装置に転送する転送部とを有する認証装置とを備え、
前記移動体通信装置は、
前記認証装置により転送された利用者識別情報を記憶する移動体記憶部と、前記移動体記憶部に記憶された利用者識別情報を無線通信により前記基地局装置に送信する移動体送信部と、前記移動体送信部により送信された利用者識別情報に対する応答を無線通信により前記基地局装置から受信する移動体受信部と、前記移動体受信部により受信された応答に基づいて前記移動体が前記認証装置により認証された利用者を乗せた状態で通行することが許可されたかどうかを示す通行許可情報を出力する移動体出力部とを有し、
前記基地局装置は、
前記移動体通信装置により送信された利用者識別情報を無線通信により受信する基地局受信部と、前記通行管理装置により生成される応答を無線通信により前記移動体通信装置に送信する基地局送信部とを有し、
前記通行管理装置は、
前記基地局装置により受信された利用者識別情報に基づいてどの利用者が前記所定の場所を通行したかを示す通行履歴情報を生成する通行履歴生成部と、前記通行履歴生成部により生成された通行履歴情報を記憶する管理記憶部と、前記管理記憶部に記憶された通行履歴情報を出力する管理出力部と、前記基地局装置により受信された利用者識別情報に対して前記応答を生成する応答生成部とを有することを特徴とする通行管理システム。
【請求項３】
前記移動体通信装置は、さらに、
前記移動体を識別する移動体識別情報を予め登録して記憶する移動体登録部を有し、
前記移動体通信装置の移動体送信部は、前記移動体登録部に記憶された移動体識別情報を無線通信により前記基地局装置に送信し、
前記基地局装置の基地局受信部は、前記移動体通信装置により送信された移動体識別情報を無線通信により受信し、
前記通行管理装置の通行履歴生成部は、前記基地局装置により受信された利用者識別情報と移動体識別情報とに基づいてどの利用者がどの移動体を利用して前記所定の場所を通行したかを示す通行履歴情報を生成することを特徴とする請求項２に記載の通行管理システム。
【請求項４】
前記通行管理装置は、さらに、
前記複数の利用者の少なくとも一部の利用者識別情報を予め登録して記憶する管理登録部と、前記基地局装置により受信された利用者識別情報を前記管理登録部に記憶された利用者識別情報と照合する管理照合部と、前記管理照合部による照合の結果に基づいて前記移動体が前記認証装置により認証された利用者を乗せた状態で前記所定の場所を通行することを許可するかどうかを判定する判定部とを有し、
前記通行管理装置の応答生成部は、前記応答として前記判定部による判定の結果を示す判定結果情報を生成することを特徴とする請求項２に記載の通行管理システム。
【請求項５】
前記移動体通信装置は、さらに、
前記移動体を識別する移動体識別情報を予め登録して記憶する移動体登録部を有し、
前記移動体通信装置の移動体送信部は、前記移動体登録部に記憶された移動体識別情報を無線通信により前記基地局装置に送信し、
前記基地局装置の基地局受信部は、前記移動体通信装置により送信された移動体識別情報を無線通信により受信し、
前記通行管理装置の管理登録部は、複数の移動体の移動体識別情報を予め登録して記憶し、
前記通行管理装置の管理照合部は、前記基地局装置により受信された移動体識別情報を前記管理登録部に記憶された移動体識別情報と照合することを特徴とする請求項４に記載の通行管理システム。
【請求項６】
前記所定の場所は、前記複数の利用者の入場又は退場が制限される区域の入口又は出口であることを特徴とする請求項２に記載の通行管理システム。
【請求項７】
前記移動体は、車両であり、
前記移動体通信装置は、車載器であり、
前記基地局装置は、路側機であり、
前記移動体通信装置と前記基地局装置とは、ＤＳＲＣ（Ｄｅｄｉｃａｔｅｄ  Ｓｈｏｒｔ  Ｒａｎｇｅ  Ｃｏｍｍｕｎｉｃａｔｉｏｎ）による無線通信を行うことを特徴とする請求項２に記載の通行管理システム。
【請求項８】
所定の場所に設置された基地局装置と、前記基地局装置と無線通信を行う移動体通信装置を具備する移動体と、前記移動体の複数の利用者による前記所定の場所の通行を管理する通行管理装置とを用いる通行管理方法において、
前記移動体に具備された媒体読取装置が、前記複数の利用者の各利用者を識別する利用者識別情報を予め記憶する記録媒体から前記利用者識別情報を読み取る媒体読取ステップと、
前記移動体に具備された認証装置が、前記複数の利用者の少なくとも一部の利用者識別情報を予め前記認証装置の記憶装置に登録して記憶する認証登録ステップと、
前記認証装置が、前記媒体読取装置により読み込まれた利用者識別情報を前記認証装置の記憶装置に記憶された利用者識別情報と照合する認証照合ステップと、
前記認証装置が、前記認証照合ステップによる照合の結果に基づいて前記複数の利用者の各利用者を認証する認証ステップと、
前記認証装置が、前記認証ステップにより認証された利用者の利用者識別情報を前記認証装置の記憶装置に記憶する認証記憶ステップと、
前記認証装置が、前記認証装置の記憶装置に記憶された利用者識別情報を前記移動体通信装置に転送する転送ステップと、
前記移動体通信装置が、前記認証装置により転送された利用者識別情報を前記移動体通信装置の記憶装置に記憶する移動体記憶ステップと、
前記移動体通信装置が、前記移動体通信装置の記憶装置に記憶された利用者識別情報を無線通信により前記基地局装置に送信する移動体送信ステップと、
前記基地局装置が、前記移動体通信装置により送信された利用者識別情報を無線通信により受信する基地局受信ステップと、
前記通行管理装置が、前記基地局装置により受信された利用者識別情報に基づいてどの利用者が前記所定の場所を通行したかを示す通行履歴情報を生成する通行履歴生成ステップと、
前記通行管理装置が、前記通行履歴生成ステップにより生成された通行履歴生成情報を前記通行管理装置の記憶装置に記憶する管理記憶ステップと、
前記通行管理装置が、前記通行管理装置の記憶装置に記憶された通行履歴情報を出力する管理出力ステップと、
前記通行管理装置が、前記基地局装置により受信された利用者識別情報に対する応答を生成する応答生成ステップと、
前記基地局装置が、前記通行管理装置により生成された応答を無線通信により前記移動体通信装置に送信する基地局送信ステップと、
前記移動体通信装置が、前記基地局装置により送信された応答を無線通信により受信する移動体受信ステップと、
前記移動体通信装置が、前記移動体受信ステップにより受信された応答に基づいて前記移動体が前記認証装置により認証された利用者を乗せた状態で通行することが許可されたかどうかを示す通行許可情報を出力する移動体出力ステップとを有することを特徴とする通行管理方法。
【請求項９】
所定の場所に設置された基地局装置と無線通信を行う移動体通信装置を備える移動体において、
前記移動体の複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記認証記憶部に記憶された利用者識別情報を前記移動体通信装置に転送する転送部とを有する認証装置とを備え、
前記移動体通信装置は、
前記認証装置により転送された利用者識別情報を記憶する移動体記憶部と、前記移動体記憶部に記憶された利用者識別情報を無線通信により前記基地局装置に送信する移動体送信部と、前記移動体送信部により送信された利用者識別情報に対する応答を無線通信により前記基地局装置から受信する移動体受信部と、前記移動体受信部により受信された応答に基づいて前記移動体が前記認証装置により認証された利用者を乗せた状態で通行することが許可されたかどうかを示す通行許可情報を出力する移動体出力部とを有することを特徴とする移動体。
【請求項１０】
前記認証装置は、さらに、
前記認証記憶部に記憶された利用者識別情報を前記移動体通信装置に転送することを命令する転送命令を入力する認証入力部を有し、
前記認証装置の転送部は、前記認証入力部により入力された転送命令に従って前記認証記憶部に記憶された利用者識別情報を前記移動体通信装置に転送することを特徴とする請求項９に記載の移動体。
【請求項１１】
所定の場所に設置された基地局装置と無線通信を行う移動体通信装置を具備する移動体に設置される移動体機器において、
前記移動体の複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記移動体通信装置が前記基地局装置に無線通信により送信するための前記認証記憶部に記憶された利用者識別情報を前記移動体通信装置に転送する転送部とを有する認証装置とを備えることを特徴とする移動体機器。
【請求項１２】
前記媒体読取装置は、さらに、
前記媒体読取部により前記利用者識別情報が正常に読み取られたかどうかを示す読取結果情報を出力する読取出力部を有することを特徴とする請求項１１に記載の移動体機器。
【請求項１３】
前記認証装置は、さらに、
前記認証部による認証の結果を示す認証結果情報を出力する認証出力部を有することを特徴とする請求項１１に記載の移動体機器。
【請求項１４】
前記記録媒体は、非接触ＩＣ（集積回路）カードであり、
前記媒体読取装置は、非接触ＩＣカードリーダであることを特徴とする請求項１１に記載の移動体機器。
【請求項１５】
移動体の複数の利用者による所定の場所の通行を管理する通行管理装置において、
前記所定の場所に設置された基地局装置が前記移動体に具備された移動体通信装置から無線通信により受信した前記複数の利用者の各利用者を識別する利用者識別情報を前記基地局装置から受信する管理受信部と、
前記複数の利用者の少なくとも一部の利用者識別情報を予め登録して記憶する管理登録部と、
前記管理受信部により受信された利用者識別情報を前記管理登録部に記憶された利用者識別情報と照合する管理照合部と、
前記管理照合部による照合の結果に基づいて前記移動体が前記複数の利用者を乗せた状態で前記所定の場所を通行することを許可するかどうかを判定する判定部と、
前記判定部による判定の結果を示す判定結果情報を前記基地局装置に送信する管理送信部とを有することを特徴とする通行管理装置。
【請求項１６】
前記通行管理装置は、さらに、
前記管理受信部により受信された利用者識別情報と前記判定部による判定の結果とに基づいてどの利用者が前記所定の場所を通行したかを示す通行履歴情報を生成する通行履歴生成部と、
前記通行履歴生成部により生成された通行履歴情報を記憶する管理記憶部と、
前記管理記憶部に記憶された通行履歴情報を出力する管理出力部とを有することを特徴とする請求項１５に記載の通行管理装置。
【請求項１７】
前記管理受信部は、前記基地局装置が前記移動体通信装置から無線通信により受信した前記移動体を識別する移動体識別情報を受信し、
前記管理登録部は、複数の移動体の移動体識別情報を予め登録して記憶し、
前記管理照合部は、前記管理受信部により受信された移動体識別情報を前記管理登録部に記憶された移動体識別情報と照合し、
前記通行履歴生成部は、前記管理受信部により受信された利用者識別情報と移動体識別情報と前記判定部による判定の結果とに基づいて、どの利用者がどの移動体を利用して前記所定の場所を通行したかを示す通行履歴情報を生成することを特徴とする請求項１６に記載の通行管理装置。
【請求項１８】
前記通行管理装置は、さらに、
時刻を示す時刻情報を生成する時刻生成部を有し、
前記通行履歴生成部は、前記管理受信部により受信された利用者識別情報と前記時刻生成部により生成された時刻情報と前記判定部による判定の結果とに基づいて、どの利用者が何時に前記所定の場所を通行したかを示す通行履歴情報を生成することを特徴とする請求項１６に記載の通行管理装置。
【請求項１９】
移動体の複数の利用者による所定の場所の通行を管理するコンピュータにより実行される通行管理プログラムにおいて、
前記所定の場所に設置された基地局装置が前記移動体に具備された移動体通信装置から無線通信により受信した前記複数の利用者の各利用者を識別する利用者識別情報を前記基地局装置から受信する管理受信処理と、
前記複数の利用者の少なくとも一部の利用者識別情報を予め記憶装置に登録して記憶する管理登録処理と、
前記管理受信処理により受信された利用者識別情報を前記記憶装置に記憶された利用者識別情報と照合する管理照合処理と、
前記管理照合処理による照合の結果に基づいて前記移動体が前記複数の利用者を乗せた状態で前記所定の場所を通行することを許可するかどうかを判定する判定処理と、
前記判定処理による判定の結果を示す判定結果情報を前記基地局装置に送信する管理送信処理とをコンピュータに実行させることを特徴とする通行管理プログラム。
【発明の詳細な説明】
【技術分野】
【０００１】
本発明は、通行管理システム及び通行管理方法及び移動体及び移動体機器及び通行管理装置及び通行管理プログラムに関するものである。特に、ＤＳＲＣ（Ｄｅｄｉｃａｔｅｄ  Ｓｈｏｒｔ  Ｒａｎｇｅ  Ｃｏｍｍｕｎｉｃａｔｉｏｎ）と非接触ＩＣ（集積回路）カードを利用した入退場管理システム（専用バスなどによる入退場の管理）に関する。
【背景技術】
【０００２】
従来技術では、バスの利用者が運賃を支払う際の不正を防いだり、手間を減らしたりするために、バスに設置された入口コード発行機と出口コード発行機が、利用者が所持するＩＤ（ＩＤｅｎｔｉｆｉｃａｔｉｏｎ）カードから識別番号を受信すると、パラメータの値として停留所のコードを付加し、料金算出サーバが、このコードにより運賃を算出していた（例えば、特許文献１参照。）。
【特許文献１】特開２００４−１６４３２１号公報
【発明の開示】
【発明が解決しようとする課題】
【０００３】
例えば、従業員以外の者の入場が制限された会社や工場の敷地内に、従業員を乗せたバスが入場する際には、バスの利用者に従業員以外の者が紛れ込んでいないかどうかを確認する必要がある。従来は、バスの入場後に入口付近で従業員全員を一旦降車させ、従業員が所持するＩＤカードなどを用いてバスの利用者が正規の従業員であるかどうかを一人一人確認しなければならなかった。
【０００４】
本発明は、特定の者以外の入場が制限された場所を、バスなどの移動体がその利用者を乗せた状態で通行する際に、入場が制限された者などによる不正を防ぐとともに、そのための確認の手間を減らすことを目的とする。
【課題を解決するための手段】
【０００５】
本発明の通行管理システムは、
所定の場所に設置された基地局装置と、前記基地局装置と無線通信を行う移動体通信装置を具備する移動体と、前記移動体の複数の利用者による前記所定の場所の通行を管理する通行管理装置とを備える通行管理システムにおいて、
前記移動体は、前記複数の利用者の各利用者の記録媒体から各利用者に係る情報を読み取り、読み取った情報に基づいて各利用者を認証し、認証した利用者に係る情報を前記移動体通信装置に転送する移動体機器を備え、
前記移動体通信装置は、前記移動体機器により転送された情報を記憶装置に記憶し、前記記憶装置に記憶された情報を前記基地局装置に送信するとともに、送信した情報に対する応答を前記基地局装置から受信し、受信した応答に基づいて前記移動体が前記移動体機器により認証された利用者を乗せた状態で通行することが許可されたかどうかを示す情報を出力し、
前記基地局装置は、前記移動体通信装置により送信された情報を受信するとともに、前記通行管理装置により生成される応答を前記移動体通信装置に送信し、
前記通行管理装置は、前記基地局装置により受信された情報に基づいてどの利用者が通行したかを示す情報を出力するとともに、前記基地局装置により受信された情報に対して前記応答を生成することを特徴とする。
【発明の効果】
【０００６】
本発明では、バスなどの移動体において、移動体機器が、利用者のＩＤカードなどの記録媒体から読み取った情報に基づいて各利用者を認証し、認証した利用者に係る情報を車載器などの移動体通信装置に転送し、移動体通信装置が、移動体機器により転送された情報を路側機などの基地局装置に送信するとともに、送信した情報に対する応答を基地局装置から受信し、受信した応答に基づいて移動体が移動体機器により認証された利用者を乗せた状態で通行することが許可されたかどうかを示す情報を出力することにより、特定の者以外の入場が制限された場所を、バスなどの移動体がその利用者を乗せた状態で通行する際に、入場が制限された者などによる不正を防ぐとともに、そのための確認の手間を減らすことが可能となる。
【発明を実施するための最良の形態】
【０００７】
以下、本発明の実施の形態について、図を用いて説明する。
【０００８】
実施の形態１．
図１は、本実施の形態に係る移動体の構成を示す図である。
【０００９】
本実施の形態において、バス１００は移動体の一例であり、移動体機器２００、車載器５００を備える。ここで、移動体は、バス１００に限らず、乗用車、電車など、他の車両や飛行機など、他の移動体であってもよい。
【００１０】
移動体機器２００は、カードＲ／Ｗ（リーダ／ライタ）３００、ＩＤ認証装置４００を備え、従業員１０２ａ〜ｃ（複数の利用者の一例）の各従業員１０２が所持する非接触ＩＣカード１０３ａ〜ｃ（記録媒体の一例）からそれぞれの従業員ＩＤ（利用者に係る情報の一例）、「Ａ」、「Ｂ」、「Ｃ」を読み取り、読み取った従業員ＩＤに基づいて各従業員１０２を認証し、認証した従業員１０２の従業員ＩＤを車載器５００に転送する。ここで、従業員ＩＤは利用者識別情報の一例であり、各従業員１０２を識別する情報である。従業員ＩＤは予め非接触ＩＣカード１０３に記憶されている。カードＲ／Ｗ３００、ＩＤ認証装置４００の詳細については後述する。
【００１１】
移動体機器２００は、従業員１０２などのバス１００の利用者だけでなく、運転手１０１が所持する非接触ＩＣカード１０３ｄから運転手１０１を識別する運転手識別情報（運転手ＩＤ）を読み取り、読み取った運転手ＩＤに基づいて運転手１０１を認証し、認証した運転手１０１の運転手ＩＤを車載器５００に転送してもよい。
【００１２】
車載器５００は移動体通信装置の一例であり、移動体機器２００により転送された従業員ＩＤを車載器５００に具備された記憶装置に記憶する。
【００１３】
図２は、本実施の形態に係る通行管理システムの構成を示す図である。
【００１４】
本実施の形態に係る通行管理システムは、バス１００、路側機７００、センターサーバ８００を備える。
【００１５】
図１に示したように、バス１００は、車載器５００を備える。車載器５００は、車載器ＩＤを予め記憶装置に記憶している。車載器ＩＤは移動体識別情報の一例であり、バス１００を識別する情報である（実際には、車載器ＩＤという名が示すように車載器５００を識別する情報であってもよいが、ここでは車両ＩＤのようにバス１００を識別する情報として扱う。）。車載器５００は、路側機７００とＤＳＲＣによる無線通信を行って、記憶装置に記憶された従業員ＩＤと車載器ＩＤを路側機７００に送信する。また、送信した従業員ＩＤ（と車載器ＩＤ）に対する応答を路側機７００から受信し、受信した応答に基づいて、バス１００が移動体機器２００により認証された従業員１０２ａ〜ｃを乗せた状態で通行することが許可されたかどうかを運転手１０１に通知する。ここで、車載器５００と路側機７００との間の無線通信には、ＤＳＲＣに限らず、無線ＬＡＮ（ローカルエリアネットワーク）など、他の無線通信技術を代用してもよい。
【００１６】
路側機７００は所定の場所に設置される。所定の場所とは、例えば、入場が制限される区域の入口や退場が制限される区域の出口であり、本実施の形態では、従業員１０２ａ〜ｃが勤務する会社６００の敷地の入退場門６０２としている。路側機７００は基地局装置の一例であり、車載器５００とＤＳＲＣによる無線通信を行って、車載器５００により送信された従業員ＩＤと車載器ＩＤを受信する。また、センターサーバ８００により生成される応答を車載器５００に送信する。
【００１７】
センターサーバ８００は通行管理装置の一例であり、従業員１０２ａ〜ｃによる入退場門６０２の通行を管理する。具体的には、センターサーバ８００は、路側機７００により受信された従業員ＩＤと車載器ＩＤに基づいてどの従業員１０２がどのバス１００を利用して通行したかを履歴情報としてセンターサーバ８００に具備された記憶装置に記憶したり、守衛６０１などに通知したりする。また、従業員ＩＤ（と車載器ＩＤ）に対して応答を生成する。この応答は、例えば、センターサーバ８００が従業員ＩＤと車載器ＩＤを受信したことを通知する情報であってもよいし、路側機７００により受信された従業員ＩＤと車載器ＩＤに基づいてバス１００が移動体機器２００により認証された従業員１０２ａ〜ｃを乗せた状態で通行することをセンターサーバ８００や守衛６０１などが許可したかどうかを示す情報であってもよい。センターサーバ８００は、会社６００に設置されていてもよいし、会社６００から離れた管理センターなどに設置されていてもよい。センターサーバ８００の詳細については後述する。
【００１８】
図３から図６までは、従業員１０２ａ〜ｃが出社するときの通行管理システムなど（各従業員１０２、運転手１０１、移動体機器２００、車載器５００、守衛６０１、路側機７００、センターサーバ８００）の動作の一例を示すフロー図である。
【００１９】
図３は、従業員１０２ａ〜ｃがバス１００に乗車する前の通行管理システムなどの動作の一例を示すフロー図である。
【００２０】
移動体機器２００は、利用可能な従業員ＩＤを事前にＩＤ認証装置４００に登録しておく（ステップＳ１０１）。運転手１０１は、移動体機器２００と車載器５００について、異常がないことを点検する（ステップＳ１０２）。そして、移動体機器２００、車載器５００それぞれに対し、メモリ内容をクリアする処理を行う（ステップＳ１０３）。この運転手１０１の操作により、移動体機器２００のＩＤ認証装置４００と車載器５００において、メモリ内容がクリアされる（ステップＳ１０４、Ｓ１０５）。
【００２１】
図４は、従業員１０２ａ〜ｃがバス１００に乗車するときの通行管理システムなどの動作の一例を示すフロー図である。
【００２２】
各従業員１０２は、非接触ＩＣカード１０３（ＩＤカード）を移動体機器２００のカードＲ／Ｗ３００にかざし（ステップＳ１０６）、カードＲ／Ｗ３００から「ピッ」と音が鳴って従業員ＩＤが正常に読み込まれたことを確認する（ステップＳ１０７）。移動体機器２００のＩＤ認証装置４００は、読み取った１人１人の従業員１０２の従業員ＩＤに対して、事前に登録した従業員ＩＤによるチェックを行い（ステップＳ１０８）、チェック結果を運転手１０１に通知する（ステップＳ１０９）。運転手１０１は、１人１人の従業員１０２が非接触ＩＣカード１０３をかざし、それが正常に読み取られていることを確認する（ステップＳ１１０）。運転手１０１は、非接触ＩＣカード１０３の読み取りが正常に行われない場合や、従業員ＩＤのチェック結果から従業員１０２の乗車が認められないと判明した場合には、従業員１０２の乗車を拒否してもよい。移動体機器２００のＩＤ認証装置４００は、カードＲ／Ｗ３００により読み取った１人１人の従業員１０２の従業員ＩＤを蓄積していく（ステップＳ１１１）。運転手１０１は、従業員１０２全員が乗車し終わったときに、移動体機器２００のＩＤ認証装置４００中の従業員１０２の全従業員ＩＤを車載器５００に転送する操作を行う（ステップＳ１１２）。移動体機器２００のＩＤ認証装置４００は、運転手１０１からの操作を受けて、蓄積した従業員ＩＤの情報を車載器５００に転送する（ステップＳ１１３）。車載器５００は、移動体機器２００のＩＤ認証装置４００から、バス１００に乗車した全従業員１０２の従業員ＩＤを受信し格納する（ステップＳ１１４）。
【００２３】
図５及び図６は、従業員１０２ａ〜ｃが乗車したバス１００が会社６００の敷地に入場するときの通行管理システムなどの動作の一例を示すフロー図である。
【００２４】
運転手１０１は、バス１００を路側機７００の通信エリア内（例えば、白線表示などにより指定された位置）で一度停止する（ステップＳ１１５）。守衛６０１は、バス１００が一度停止することを確認する（ステップＳ６０１）。路側機７００は、起動信号を送信して車載器５００を起動する（ステップＳ６０２）。車載器５００は、路側機７００からの起動信号を受信すると（ステップＳ１１６）、車載器ＩＤ、格納している全従業員１０２の従業員ＩＤを路側機７００に送信する（ステップＳ１１７）。路側機７００は、車載器５００から車載器ＩＤ、バス１００に乗車中の全従業員１０２の従業員ＩＤを受信し、センターサーバ８００に送信する（ステップＳ６０３）。センターサーバ８００は、路側機７００から車載器ＩＤ、従業員ＩＤを受信し、通行履歴に加えるとともに（ステップＳ６０４）、路側機７００に受信が正常に行われたことなどを示す受信ＯＫの信号（「乗員ｎ名の認証が確認できました。そのまま通行してください」などといった通行許可を通知する音声メッセージなどを含んでもよい。）を送信する（ステップＳ６０５）。路側機７００は、センターサーバ８００からの受信ＯＫの信号を受信し、車載器５００に受信ＯＫの信号を送信する（ステップＳ６０６）。車載器５００は、路側機７００からの受信ＯＫの信号を受信し、その旨を表示（音声メッセージなどの場合は、再生）して運転手１０１に通知する（ステップＳ１１８）。運転手１０１は、車載器５００の受信ＯＫの表示を確認して会社６００の敷地に（構内に）入場する（ステップＳ１１９）。守衛６０１は、一度停止したバス１００がその後入場することを確認する（ステップＳ６０７）。ここで、バス１００から降りる従業員１０２がいた場合には、守衛６０１は、その従業員１０２が入退場門６０２などに設置されたゲートのカードリーダで読取処理（認証処理）を行ってから入場することを確認する。
【００２５】
運転手１０１は、構内の所定の位置で全従業員１０２をバス１００から降ろす（ステップＳ１２０）。各従業員１０２は、バス１００が所定の位置で停車したら降りる（ステップＳ１２１）。運転手１０１は、全従業員１０２が降りた後、移動体機器２００、車載器５００それぞれに対し、メモリ内容をクリアする処理を行う（ステップＳ１２２）。この運転手１０１の操作により、移動体機器２００のＩＤ認証装置４００と車載器５００において、メモリ内容がクリアされる（ステップＳ１２３、Ｓ１２４）。
【００２６】
図７から図１０までは、従業員１０２ａ〜ｃが帰宅するときの通行管理システムなどの動作の一例を示すフロー図である。
【００２７】
図７は、従業員１０２ａ〜ｃがバス１００に乗車する前の通行管理システムなどの動作の一例を示すフロー図である。
【００２８】
運転手１０１は、移動体機器２００と車載器５００について、異常がないことを点検する（ステップＳ１２５）。そして、移動体機器２００、車載器５００それぞれに対し、メモリ内容をクリアする処理を行う（ステップＳ１２６）。この運転手１０１の操作により、移動体機器２００のＩＤ認証装置４００と車載器５００において、メモリ内容がクリアされる（ステップＳ１２７、Ｓ１２８）。
【００２９】
図８は、従業員１０２ａ〜ｃがバス１００に乗車するときの通行管理システムなどの動作の一例を示すフロー図である。
【００３０】
各従業員１０２は、非接触ＩＣカード１０３（ＩＤカード）を移動体機器２００のカードＲ／Ｗ３００にかざし（ステップＳ１２９）、カードＲ／Ｗ３００から「ピッ」と音が鳴って従業員ＩＤが正常に読み込まれたことを確認する（ステップＳ１３０）。移動体機器２００のＩＤ認証装置４００は、読み取った１人１人の従業員１０２の従業員ＩＤに対して、事前に登録した従業員ＩＤによるチェックを行い（ステップＳ１３１）、チェック結果を運転手１０１に通知する（ステップＳ１３２）。運転手１０１は、１人１人の従業員１０２が非接触ＩＣカード１０３をかざし、それが正常に読み取られていることを確認する（ステップＳ１３３）。運転手１０１は、非接触ＩＣカード１０３の読み取りが正常に行われない場合や、従業員ＩＤのチェック結果から従業員１０２の乗車が認められないと判明した場合には、従業員１０２の乗車を拒否してもよい。移動体機器２００のＩＤ認証装置４００は、カードＲ／Ｗ３００により読み取った１人１人の従業員１０２の従業員ＩＤを蓄積していく（ステップＳ１３４）。運転手１０１は、従業員１０２全員が乗車し終わったときに、移動体機器２００のＩＤ認証装置４００中の従業員１０２の全従業員ＩＤを車載器５００に転送する操作を行う（ステップＳ１３５）。移動体機器２００のＩＤ認証装置４００は、運転手１０１からの操作を受けて、蓄積した従業員ＩＤの情報を車載器５００に転送する（ステップＳ１３６）。車載器５００は、移動体機器２００のＩＤ認証装置４００から、バス１００に乗車した全従業員１０２の従業員ＩＤを受信し格納する（ステップＳ１３７）。
【００３１】
図９及び図１０は、従業員１０２ａ〜ｃが乗車したバス１００が会社６００の敷地から退場するときの通行管理システムなどの動作の一例を示すフロー図である。
【００３２】
運転手１０１は、バス１００を路側機７００の通信エリア内（例えば、白線表示などにより指定された位置）で一度停止する（ステップＳ１３８）。守衛６０１は、バス１００が一度停止することを確認する（ステップＳ６０８）。路側機７００は、起動信号を送信して車載器５００を起動する（ステップＳ６０９）。車載器５００は、路側機７００からの起動信号を受信すると（ステップＳ１３９）、車載器ＩＤ、格納している全従業員１０２の従業員ＩＤを路側機７００に送信する（ステップＳ１４０）。路側機７００は、車載器５００から車載器ＩＤ、バス１００に乗車中の全従業員１０２の従業員ＩＤを受信し、センターサーバ８００に送信する（ステップＳ６１０）。センターサーバ８００は、路側機７００から車載器ＩＤ、従業員ＩＤを受信し、通行履歴に加えるとともに（ステップＳ６１１）、路側機７００に受信が正常に行われたことなどを示す受信ＯＫの信号（「乗員ｎ名の認証が確認できました。そのまま通行してください」などといった通行許可を通知する音声メッセージなどを含んでもよい。）を送信する（ステップＳ６１２）。路側機７００は、センターサーバ８００からの受信ＯＫの信号を受信し、車載器５００に受信ＯＫの信号を送信する（ステップＳ６１３）。車載器５００は、路側機７００からの受信ＯＫの信号を受信し、その旨を表示（音声メッセージなどの場合は、再生）して運転手１０１に通知する（ステップＳ１４１）。運転手１０１は、車載器５００の受信ＯＫの表示を確認して会社６００の敷地から（構外に）退場する（ステップＳ１４２）。守衛６０１は、一度停止したバス１００がその後退場することを確認する（ステップＳ６１４）。ここで、バス１００から降りる従業員１０２がいた場合には、守衛６０１は、その従業員１０２が入退場門６０２などに設置されたゲートのカードリーダで読取処理（認証処理）を行ってから退場することを確認する。
【００３３】
運転手１０１は、従業員寮などのしかるべき場所に着いたら全従業員１０２をバス１００から降ろす（ステップＳ１４３）。各従業員１０２は、バス１００がしかるべき場所で停車したら降りる（ステップＳ１４４）。運転手１０１は、全従業員１０２が降りた後、移動体機器２００、車載器５００それぞれに対し、メモリ内容をクリアする処理を行う（ステップＳ１４５）。この運転手１０１の操作により、移動体機器２００のＩＤ認証装置４００と車載器５００において、メモリ内容がクリアされる（ステップＳ１４６、Ｓ１４７）。
【００３４】
図１１は、本実施の形態に係る移動体機器の構成を示すブロック図である。
【００３５】
本実施の形態において、移動体機器２００は、カードＲ／Ｗ３００、ＩＤ認証装置４００を備える。移動体機器２００は、一体型（例えば、カードＲ／Ｗ３００とＩＤ認証装置４００が同一の筐体に実装され、記憶装置や制御装置などを共有することをいう。）であってもよいし、分離型（例えば、カードＲ／Ｗ３００とＩＤ認証装置４００が別々の筐体に実装され、互いに通信ケーブルなどで接続されていることをいう。）であってもよい。
【００３６】
カードＲ／Ｗ３００は媒体読取装置の一例であり、媒体読取部３０１、読取出力部３０２を有する。カードＲ／Ｗ３００はカードライタ（書き込み）機能を省いた非接触ＩＣカードリーダ（読み取り専用）であってもよい。
【００３７】
ＩＤ認証装置４００は認証装置の一例であり、記憶装置４０１、認証照合部４０４、認証部４０５、転送部４０６、認証入力部４０７、認証出力部４０８、認証削除部４０９を有する。記憶装置４０１は、認証記憶部４０２、認証登録部４０３を含む。
【００３８】
図１２は、本実施の形態に係る媒体読取装置の動作を示すフロー図である。
【００３９】
カードＲ／Ｗ３００において、媒体読取部３０１は、各従業員１０２の従業員ＩＤを予め記憶する非接触ＩＣカード１０３から従業員ＩＤを読み取る（ステップＳ３０１：媒体読取ステップ（処理））。読取出力部３０２は、媒体読取部３０１により従業員ＩＤが正常に読み取られたかどうかを示す読取結果情報を出力する（ステップＳ３０２：読取出力ステップ（処理））。読取出力部３０２は、読取結果情報を、音声メッセージや警告音など、音として出力してもよいし、ＬＥＤ（発光ダイオード）を所定の色で点灯又は点滅させるなど、光として出力してもよいし、液晶画面などにメッセージを表示するなど、文字として出力してもよい。
【００４０】
図４の例では、ステップＳ３０１、Ｓ３０２の処理は、ステップＳ１０６とステップＳ１０７の間に行われる。また、図８の例では、ステップＳ３０１、Ｓ３０２の処理は、ステップＳ１２９とステップＳ１３０の間に行われる。
【００４１】
図１３は、本実施の形態に係る認証装置の動作を示すフロー図である。
【００４２】
ＩＤ認証装置４００において、記憶装置４０１の認証登録部４０３は、従業員１０２ａ〜ｃの従業員ＩＤを予め登録して記憶する（ステップＳ４０１：認証登録ステップ（処理））。ここでは、従業員１０２ａ〜ｃの３人が正規の従業員１０２であるものとして、後述する認証処理でポジティブチェックを行うために従業員１０２ａ〜ｃの従業員ＩＤを登録しているが、他の正規の従業員１０２の従業員ＩＤを登録してもよい。また、後述する認証処理でネガティブチェックを行う場合は、従業員１０２ａ〜ｃ以外の正規でない（つまり、通行を許可しない）従業員１０２の従業員ＩＤや無効な従業員ＩＤを登録してもよい。
【００４３】
認証入力部４０７は、記憶装置４０１の認証記憶部４０２に記憶された従業員ＩＤを削除することを命令する削除命令を入力する（ステップＳ４０２：認証入力ステップ（処理））。認証削除部４０９は、認証入力部４０７により入力された削除命令に従って記憶装置４０１の認証記憶部４０２に記憶された従業員ＩＤを削除する（ステップＳ４０３：認証削除ステップ（処理））。
【００４４】
図３の例では、ステップＳ４０１の処理は、ステップＳ１０１において行われる。ステップＳ４０２、Ｓ４０３の処理は、ステップＳ１０３、Ｓ１０４において行われる。また、図７の例では、ステップＳ４０２、Ｓ４０３の処理は、ステップＳ１２６、Ｓ１２７において行われる。
【００４５】
認証照合部４０４は、カードＲ／Ｗ３００により読み込まれた従業員ＩＤを記憶装置４０１の認証登録部４０３に記憶された従業員ＩＤと照合する（ステップＳ４０４：認証照合ステップ（処理））。認証部４０５は、認証照合部４０４による照合の結果に基づいて従業員１０２ａ〜ｃの各従業員１０２を認証する（ステップＳ４０５：認証ステップ（処理））。記憶装置４０１の認証記憶部４０２は、認証部４０５により認証された従業員１０２の従業員ＩＤを記憶する（ステップＳ４０６：認証記憶ステップ（処理））。認証出力部４０８は、認証部４０５による認証の結果を示す認証結果情報を出力する（ステップＳ４０７：認証出力ステップ（処理））。認証出力部４０８は、認証結果情報を、音声メッセージや警告音など、音として出力してもよいし、ＬＥＤを所定の色で点灯又は点滅させるなど、光として出力してもよいし、液晶画面などにメッセージを表示するなど、文字として出力してもよい。
【００４６】
認証入力部４０７は、記憶装置４０１の認証記憶部４０２に記憶された従業員ＩＤを車載器５００に転送することを命令する転送命令を入力する（ステップＳ４０８：認証入力ステップ（処理））。転送部４０６は、認証入力部４０７により入力された転送命令に従って記憶装置４０１の認証記憶部４０２に記憶された従業員ＩＤを車載器５００に転送する（ステップＳ４０９：転送ステップ（処理））。
【００４７】
図４の例では、ステップＳ４０４、Ｓ４０５の処理は、ステップＳ１０８において行われる。ステップＳ４０６の処理は、ステップＳ１１１において行われる。ステップＳ４０７の処理は、ステップＳ１０９において行われる。ステップＳ４０８、Ｓ４０９の処理は、ステップＳ１１２、Ｓ１１３において行われる。また、図８の例では、ステップＳ４０４、Ｓ４０５の処理は、ステップＳ１３１において行われる。ステップＳ４０６の処理は、ステップＳ１３４において行われる。ステップＳ４０７の処理は、ステップＳ１３２において行われる。ステップＳ４０８、Ｓ４０９の処理は、ステップＳ１３５、Ｓ１３６において行われる。
【００４８】
認証入力部４０７は、記憶装置４０１の認証記憶部４０２に記憶された従業員ＩＤを削除することを命令する削除命令を入力する（ステップＳ４１０：認証入力ステップ（処理））。認証削除部４０９は、記憶装置４０１の認証入力部４０７により入力された削除命令に従って認証記憶部４０２に記憶された従業員ＩＤを削除する（ステップＳ４１１：認証削除ステップ（処理））。
【００４９】
図６の例では、ステップＳ４１０の処理は、ステップＳ１２２において行われる。ステップＳ４１１の処理は、ステップＳ１２３において行われる。また、図１０の例では、ステップＳ４１０の処理は、ステップＳ１４５において行われる。ステップＳ４１１の処理は、ステップＳ１４６において行われる。
【００５０】
図１４は、本実施の形態に係る移動体通信装置の構成を示すブロック図である。
【００５１】
本実施の形態において、車載器５００は移動体通信装置の一例であり、記憶装置５０１、移動体送信部５０４、移動体受信部５０５、移動体出力部５０６、移動体入力部５０７、移動体削除部５０８を有する。記憶装置５０１は、移動体記憶部５０２、移動体登録部５０３を含む。
【００５２】
図１５は、本実施の形態に係る移動体通信装置の動作を示すフロー図である。
【００５３】
車載器５００において、記憶装置５０１の移動体登録部５０３は、バス１００を識別する車載器ＩＤを予め登録して記憶する（ステップＳ５０１：移動体登録ステップ（処理））。移動体入力部５０７は、記憶装置５０１の移動体記憶部５０２に記憶された従業員ＩＤを削除することを命令する削除命令を入力する（ステップＳ５０２：移動体入力ステップ（処理））。移動体削除部５０８は、移動体入力部５０７により入力された削除命令に従って記憶装置５０１の移動体記憶部５０２に記憶された従業員ＩＤを削除する（ステップＳ５０３：移動体削除ステップ（処理））。
【００５４】
図３の例では、ステップＳ５０２、Ｓ５０３の処理は、ステップＳ１０３、Ｓ１０５において行われる。また、図７の例では、ステップＳ５０２、Ｓ５０３の処理は、ステップＳ１２６、Ｓ１２８において行われる。
【００５５】
記憶装置５０１の移動体記憶部５０２は、ＩＤ認証装置４００により転送された従業員ＩＤを記憶する（ステップＳ５０４：移動体記憶ステップ（処理））。
【００５６】
図４の例では、ステップＳ５０４の処理は、ステップＳ１１４において行われる。また、図８の例では、ステップＳ５０４の処理は、ステップＳ１３７において行われる。
【００５７】
移動体送信部５０４は、記憶装置５０１の移動体登録部５０３に記憶された車載器ＩＤと記憶装置５０１の移動体記憶部５０２に記憶された従業員ＩＤとを無線通信により路側機７００に送信する（ステップＳ５０５：移動体送信ステップ（処理））。
【００５８】
移動体受信部５０５は、移動体送信部５０４により送信された従業員ＩＤに対する応答を無線通信により路側機７００から受信する（ステップＳ５０６：移動体受信ステップ（処理））。移動体出力部５０６は、移動体受信部５０５により受信された応答に基づいてバス１００がＩＤ認証装置４００により認証された従業員１０２を乗せた状態で通行することが許可されたかどうかを示す通行許可情報を出力する（ステップＳ５０７：移動体出力ステップ（処理））。移動体出力部５０６は、通行許可情報を、音声メッセージや警告音など、音として出力してもよいし、ＬＥＤを所定の色で点灯又は点滅させるなど、光として出力してもよいし、液晶画面などにメッセージを表示するなど、文字として出力してもよい。バス１００の運転手１０１は、移動体出力部５０６により出力された通行許可情報が通行を許可するものである場合に、入退場門６０２を通行して、会社６００の敷地内にバス１００を移動する。
【００５９】
図５の例では、ステップＳ５０５の処理は、ステップＳ１１７において行われる。ステップＳ５０６、Ｓ５０７の処理は、ステップＳ１１８において行われる。また、図９の例では、ステップＳ５０５の処理は、ステップＳ１４０において行われる。ステップＳ５０６、Ｓ５０７の処理は、ステップＳ１４１において行われる。
【００６０】
移動体入力部５０７は、記憶装置５０１の移動体記憶部５０２に記憶された従業員ＩＤを削除することを命令する削除命令を入力する（ステップＳ５０８：移動体入力ステップ（処理））。移動体削除部５０８は、移動体入力部５０７により入力された削除命令に従って記憶装置５０１の移動体記憶部５０２に記憶された従業員ＩＤを削除する（ステップＳ５０９：移動体削除ステップ（処理））。
【００６１】
図６の例では、ステップＳ５０８の処理は、ステップＳ１２２において行われる。ステップＳ５０９の処理は、ステップＳ１２４において行われる。また、図１０の例では、ステップＳ５０８の処理は、ステップＳ１４５において行われる。ステップＳ５０９の処理は、ステップＳ１４７において行われる。
【００６２】
図１６は、本実施の形態に係る基地局装置及び通行管理装置の構成を示すブロック図である。
【００６３】
本実施の形態において、路側機７００は基地局装置の一例であり、基地局受信部７０１、基地局送信部７０２を有する。
【００６４】
また、センターサーバ８００は通行管理装置の一例であり、記憶装置８０１、通行履歴生成部８０４、管理出力部８０５、応答生成部８０６、管理受信部８０７、管理送信部８０８、管理入力部８０９を有する。記憶装置８０１は、管理記憶部８０２を含む。
【００６５】
図１７は、本実施の形態に係る基地局装置の動作を示すフロー図である。
【００６６】
路側機７００において、基地局受信部７０１は、車載器５００により送信された車載器ＩＤと従業員ＩＤとを無線通信により受信して、センターサーバ８００に送信する（ステップＳ７０１：基地局受信ステップ（処理））。基地局送信部７０２は、センターサーバ８００により生成される応答を受信して、無線通信により車載器５００に送信する（ステップＳ７０２：基地局送信ステップ（処理））。
【００６７】
図５の例では、ステップＳ７０１の処理は、ステップＳ６０３において行われる。ステップＳ７０２の処理は、ステップＳ６０６において行われる。また、図９の例では、ステップＳ７０１の処理は、ステップＳ６１０において行われる。ステップＳ７０２の処理は、ステップＳ６１３において行われる。
【００６８】
図１８は、本実施の形態に係る通行管理装置の動作を示すフロー図である。
【００６９】
センターサーバ８００において、管理受信部８０７は、路側機７００が車載器５００から無線通信により受信した従業員ＩＤと車載器ＩＤとを路側機７００から受信する（ステップＳ８０１：管理受信ステップ（処理））。通行履歴生成部８０４は、管理受信部８０７により受信された従業員ＩＤと車載器ＩＤとに基づいてどの従業員がどの移動体を利用して入退場門６０２を通行したかを示す通行履歴情報を生成する（ステップＳ８０２：通行履歴生成ステップ（処理））。記憶装置８０１の管理記憶部８０２は、通行履歴生成部８０４により生成された通行履歴情報を記憶する（ステップＳ８０３：管理記憶ステップ（処理））。管理出力部８０５は、記憶装置８０１の管理記憶部８０２に記憶された通行履歴情報を出力する（ステップＳ８０４：管理出力ステップ（処理））。
【００７０】
図１９は、管理出力部８０５が通行履歴情報を画面に表示して出力する場合の画面の例を示す図である。
【００７１】
管理出力部８０５は、通行履歴情報として、車載器ＩＤ、その車載器ＩＤに対応するバス１００に乗車している従業員１０２ａ〜ｃの従業員ＩＤ、各従業員１０２の氏名などをセンターサーバ画面８１３に表示する。図１９に示したように、管理出力部８０５は、バス１００の運転手１０１の運転手ＩＤ、この運転手１０１の氏名などを表示してもよい。また、各従業員１０２、運転手１０１の過去の通行履歴情報（例えば、過去の時点で通行を拒否されたことがないかどうかなど）を同時に表示してもよい。守衛６０１やセンターサーバ８００が設置されたセンターにいる管理者などは、このようにセンターサーバ画面８１３に表示された情報を参考に、従業員１０２ａ〜ｃが乗車したバス１００の通行を許可するかどうか、及び運転手１０１が運転するバス１００の通行を許可するかどうかを判断する。守衛６０１などは、バス１００の通行を許可する場合には通行許可ボタン８１４を押下する。通行許可ボタン８１４が押下された場合には、管理入力部８０９がバス１００の通行が許可されたことを示す通行許可情報を入力する。
【００７２】
応答生成部８０６は、管理受信部８０７により受信された従業員ＩＤと車載器ＩＤとに対して応答を生成する（ステップＳ８０５：応答生成ステップ（処理））。この応答は、従業員ＩＤと車載器ＩＤが正常に受信されたことを示す情報であってもよいし、例えば、前述の図１９の例において管理入力部８０９により入力された通行許可情報であってもよい。管理送信部８０８は、応答生成部８０６により生成された応答を路側機７００に送信する（ステップＳ８０６：管理送信ステップ（処理））。
【００７３】
図５の例では、ステップＳ８０１からＳ８０４までの処理は、ステップＳ６０４において行われる。ステップＳ８０５、Ｓ８０６の処理は、ステップＳ６０５において行われる。また、図９の例では、ステップＳ８０１からＳ８０４までの処理は、ステップＳ６１１において行われる。ステップＳ８０５、Ｓ８０６の処理は、ステップＳ６１２において行われる。
【００７４】
上述したように、本実施の形態に係る通行管理システムは、ＤＳＲＣと非接触ＩＣカード１０３を利用した入退場管理システムであり、ＤＳＲＣ車載システムを搭載した専用バス（バス１００）での入退場時に、車載器ＩＤによる車両識別、及び運転手１０１と同乗者（従業員１０２ａ〜ｃなど）の個人識別、及び入退場管理を行う。
【００７５】
上記通行管理システムは、以下のような特徴を備える。
（１）来場者・同乗者は下車せず、入退場が可能となる。
（２）車載器ＩＤ（車両ＩＤ）と個人ＩＤ（運転手ＩＤや従業員ＩＤ）の紐付けが可能である。
（３）来場者の個人ＩＤをシステムで利用可能となる。
【００７６】
上記通行管理システムは、ＤＳＲＣ車載システム（移動体機器２００と車載器５００の組み合わせ）搭載の専用バス（バス１００）にて、集団入退場する際の入退場者（運転手１０１、同乗者の従業員１０２ａ〜ｃ）の個人ＩＤを一括で即時に収集できるシステムであり、運転手１０１、及び従業員１０２ａ〜ｃがバス１００に乗車時に、非接触ＩＣカード１０３をＩＤカードＲ／Ｗ（カードＲ／Ｗ３００）にかざすことで、ＩＤ認証装置４００に個人ＩＤを蓄積する。運転手１０１が入退門（入退場門６０２）のＤＳＲＣアンテナ（路側機７００の一部）下の通信領域に入る前に、ＩＤ認証装置４００のボタン（認証入力部４０７の一例）押下により、蓄積した個人ＩＤをＤＳＲＣ車載器（車載器５００）のメモリ（記憶装置５０１の移動体記憶部５０２の一例）に転送する。入退場時にＤＳＲＣアンテナ下において、ＤＳＲＣ路側システム（路側機７００の一部）がＤＳＲＣ車載器よりメモリアクセス機能により、個人ＩＤを読み取る。専用バスの運転手１０１は、入退場門６０２で一旦停止し、ＤＳＲＣ経由にて乗客の情報問い合わせを行う。乗員の入場許可をセンターサーバ８００から受信するまで構内には入れない。
【００７７】
上記通行管理システムは、以下のように動作する。
（１）ＤＳＲＣ車両への乗車時：乗客（従業員１０２ａ〜ｃなど）がバス１００に乗車時に、非接触ＩＣカード１０３をＩＤカードＲ／Ｗにかざすことで、個人ＩＤがＩＤ認証装置４００に書込まれる。
（２）入退門のＤＳＲＣアンテナ下の通信領域に入る前：運転手１０１がＩＤ認証装置４００のボタン押下により、蓄積した個人ＩＤをＤＳＲＣ車載器のメモリに転送する。ＤＳＲＣ車両の入退場時（ＤＳＲＣ通信エリアに車両が進入した時点）、ＤＳＲＣ路側システム側よりメモリアクセス機能を使用して、ＤＳＲＣ車載器の個人ＩＤ（運転者及び乗客の個人ＩＤ）を一括して読み込む。
（３）サービスアプリケーションＰＣ（パーソナルコンピュータ）（センターサーバ８００の一例）で、車載器ＩＤと個人ＩＤを表示する。表示内容を確認後、車両通行承認ボタン（管理入力部８０９の一例）を押下する。
（４）「車両通行を許可致します。どうぞ通行ください」というメッセージをＤＳＲＣ路側システムから車載器５００へ送信し、車載器５００で表示（音声出力）する。
【００７８】
図２０は、本実施の形態における通行管理システムの構成例を示す図である。
【００７９】
図２０に例示した構成により、センターサーバ８００は、路側機７００とＬＡＮ９４２を介してＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信を行い、基本アプリケーション（ＡＰ）を用いて以下のような機能を実現する。
（１）通行履歴蓄積
（２）通行管理（入退場の許否判定とＤＳＲＣ車載システムへの応答）
路側機７００は、転送アプリケーション（ＡＰ）、ＲＳＵ（路側ユニット）などにより構成される。車載器５００は、車載器アプリケーション（ＡＰ）によるＩＤ送信、メモリアクセス、プッシュを使用する。車載器５００は、ＤＳＲＣ、ＣＡＮ（コントローラエリアネットワーク）などの処理も行う。車載器５００は、さらに、ＤＳＲＣの上位アプリケーションとして、ＥＴＣ（Ｅｌｅｃｔｒｏｎｉｃ  Ｔｏｌｌ  Ｃｏｌｌｅｃｔｉｏｎ  ｓｙｓｔｅｍ）機能を有していてもよい。
【００８０】
また、ＩＤ認証装置４００は、車載器５００とＣＡＮを介して通信を行い、基本アプリケーション（ＡＰ）ライブラリ（Ｌｉｂ）を用いたり、カードＲ／Ｗ３００とＲＳ２３２Ｃを介して通信を行い、Ｆｅｌｉｃａ（登録商標）アプリケーション（ＡＰ）を用いて以下のような機能を実現する。
（１）ＩＤカードＲ／ＷとのＩＦ（インタフェース）
（２）ＩＤカードＲ／ＷからのＩＤの読み込み、蓄積、消去
（３）ＤＳＲＣ車載器のメモリに対するＩＤの書き込み、消去
（４）事前のＩＤ登録
（５）ＩＤカードＲ／Ｗから読み込んだＩＤのチェック（登録ＩＤによるチェック、ＭＡＣ（Ｍｅｓｓａｇｅ  Ａｕｔｈｅｎｔｉｃａｔｉｏｎ  Ｃｏｄｅ）などによるＩＤ認証）
【００８１】
このように、バス１００において、移動体機器２００が、従業員１０２ａ〜ｃの非接触ＩＣカード１０３から読み取った情報に基づいて各従業員１０２を認証し、認証した従業員１０２に係る情報を車載器５００に転送し、車載器５００が、移動体機器２００により転送された情報を路側機７００に送信するとともに、送信した情報に対する応答を路側機７００から受信し、受信した応答に基づいてバス１００が移動体機器２００により認証された従業員１０２ａ〜ｃを乗せた状態で通行することが許可されたかどうかを示す情報を出力することにより、従業員１０２以外の者などによる不正を防ぐとともに、従業員１０２以外の入場が制限された会社６００の入退場門６０２を、バス１００がその利用者を乗せた状態で通行することができるため、各従業員１０２が入退場門６０２を通行する際にわざわざバス１００を降り、本人確認などを行ってから再度バス１００に乗るといったような手間を省くことができる。
【００８２】
以上のように、本実施の形態に係る通行管理システムは、
所定の場所に設置された基地局装置と、前記基地局装置と無線通信を行う移動体通信装置を具備する移動体と、前記移動体の複数の利用者による前記所定の場所の通行を管理する通行管理装置とを備える通行管理システムにおいて、
前記移動体は、前記複数の利用者の各利用者の記録媒体から各利用者に係る情報を読み取り、読み取った情報に基づいて各利用者を認証し、認証した利用者に係る情報を前記移動体通信装置に転送する移動体機器を備え、
前記移動体通信装置は、前記移動体機器により転送された情報を記憶装置に記憶し、前記記憶装置に記憶された情報を前記基地局装置に送信するとともに、送信した情報に対する応答を前記基地局装置から受信し、受信した応答に基づいて前記移動体が前記移動体機器により認証された利用者を乗せた状態で通行することが許可されたかどうかを示す情報を出力し、
前記基地局装置は、前記移動体通信装置により送信された情報を受信するとともに、前記通行管理装置により生成される応答を前記移動体通信装置に送信し、
前記通行管理装置は、前記基地局装置により受信された情報に基づいてどの利用者が通行したかを示す情報を出力するとともに、前記基地局装置により受信された情報に対して前記応答を生成することを特徴とする。
【００８３】
また、本実施の形態に係る通行管理システムは、
所定の場所に設置された基地局装置と、前記基地局装置と無線通信を行う移動体通信装置を具備する移動体と、前記移動体の複数の利用者による前記所定の場所の通行を管理する通行管理装置とを備える通行管理システムにおいて、
前記移動体は、
前記複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記認証記憶部に記憶された利用者識別情報を前記移動体通信装置に転送する転送部とを有する認証装置とを備え、
前記移動体通信装置は、
前記認証装置により転送された利用者識別情報を記憶する移動体記憶部と、前記移動体記憶部に記憶された利用者識別情報を無線通信により前記基地局装置に送信する移動体送信部と、前記移動体送信部により送信された利用者識別情報に対する応答を無線通信により前記基地局装置から受信する移動体受信部と、前記移動体受信部により受信された応答に基づいて前記移動体が前記認証装置により認証された利用者を乗せた状態で通行することが許可されたかどうかを示す通行許可情報を出力する移動体出力部とを有し、
前記基地局装置は、
前記移動体通信装置により送信された利用者識別情報を無線通信により受信する基地局受信部と、前記通行管理装置により生成される応答を無線通信により前記移動体通信装置に送信する基地局送信部とを有し、
前記通行管理装置は、
前記基地局装置により受信された利用者識別情報に基づいてどの利用者が前記所定の場所を通行したかを示す通行履歴情報を生成する通行履歴生成部と、前記通行履歴生成部により生成された通行履歴情報を記憶する管理記憶部と、前記管理記憶部に記憶された通行履歴情報を出力する管理出力部と、前記基地局装置により受信された利用者識別情報に対して前記応答を生成する応答生成部とを有することを特徴とする。
【００８４】
前記移動体通信装置は、さらに、
前記移動体を識別する移動体識別情報を予め登録して記憶する移動体登録部を有し、
前記移動体通信装置の移動体送信部は、前記移動体登録部に記憶された移動体識別情報を無線通信により前記基地局装置に送信し、
前記基地局装置の基地局受信部は、前記移動体通信装置により送信された移動体識別情報を無線通信により受信し、
前記通行管理装置の通行履歴生成部は、前記基地局装置により受信された利用者識別情報と移動体識別情報とに基づいてどの利用者がどの移動体を利用して前記所定の場所を通行したかを示す通行履歴情報を生成することを特徴とする。
【００８５】
前記所定の場所は、前記複数の利用者の入場又は退場が制限される区域への入口又は出口であることを特徴とする。
【００８６】
前記移動体は、車両であり、
前記移動体通信装置は、車載器であり、
前記基地局装置は、路側機であり、
前記移動体通信装置と前記基地局装置とは、ＤＳＲＣによる無線通信を行うことを特徴とする。
【００８７】
前記媒体読取装置の媒体読取部は、前記移動体の運転手を識別する運転手識別情報を予め記憶する記録媒体から前記運転手識別情報を読み取り、
前記認証装置の認証登録部は、複数の運転手の運転手識別情報を予め登録して記憶し、
前記認証装置の認証照合部は、前記媒体読取装置により読み込まれた運転手識別情報を前記認証登録部に記憶された運転手識別情報と照合し、
前記認証装置の認証部は、前記認証照合部による照合の結果に基づいて前記運転手を認証し、
前記認証装置の認証記憶部は、前記認証部により認証された運転手の運転手識別情報を記憶し、
前記認証装置の転送部は、前記認証記憶部に記憶された運転手識別情報を前記移動体通信装置に転送し、
前記移動体通信装置の移動体記憶部は、前記認証装置により転送された運転手識別情報を記憶し、
前記移動体通信装置の移動体送信部は、前記移動体記憶部に記憶された運転手識別情報を無線通信により前記基地局装置に送信し、
前記基地局装置の基地局受信部は、前記移動体通信装置により送信された運転手識別情報を無線通信により受信し、
前記通行管理装置の通行履歴生成部は、前記基地局装置により受信された利用者識別情報と運転手識別情報とに基づいてどの利用者がどの運転手の移動体を利用して前記所定の場所を通行したかを示す通行履歴情報を生成し、
前記通行管理装置の応答生成部は、前記基地局装置により受信された利用者識別情報と運転手識別情報とに対して前記応答を生成し、
前記基地局装置の基地局送信部は、前記通行管理装置により生成される応答を無線通信により前記移動体通信装置に送信し、
前記移動体通信装置の移動体受信部は、前記移動体送信部により送信された利用者識別情報と運転手識別情報とに対する応答を無線通信により前記基地局装置から受信し、
前記移動体通信装置の移動体出力部は、前記移動体受信部により受信された応答に基づいて前記移動体が前記認証装置により認証された利用者を乗せた状態で通行することが許可されたかどうかを示す通行許可情報を出力することを特徴とする。
【００８８】
また、本実施の形態に係る通行管理方法は、
所定の場所に設置された基地局装置と、前記基地局装置と無線通信を行う移動体通信装置を具備する移動体と、前記移動体の複数の利用者による前記所定の場所の通行を管理する通行管理装置とを用いる通行管理方法において、
前記移動体に具備された媒体読取装置が、前記複数の利用者の各利用者を識別する利用者識別情報を予め記憶する記録媒体から前記利用者識別情報を読み取る媒体読取ステップと、
前記移動体に具備された認証装置が、前記複数の利用者の少なくとも一部の利用者識別情報を予め前記認証装置の記憶装置に登録して記憶する認証登録ステップと、
前記認証装置が、前記媒体読取装置により読み込まれた利用者識別情報を前記認証装置の記憶装置に記憶された利用者識別情報と照合する認証照合ステップと、
前記認証装置が、前記認証照合ステップによる照合の結果に基づいて前記複数の利用者の各利用者を認証する認証ステップと、
前記認証装置が、前記認証ステップにより認証された利用者の利用者識別情報を前記認証装置の記憶装置に記憶する認証記憶ステップと、
前記認証装置が、前記認証装置の記憶装置に記憶された利用者識別情報を前記移動体通信装置に転送する転送ステップと、
前記移動体通信装置が、前記認証装置により転送された利用者識別情報を前記移動体通信装置の記憶装置に記憶する移動体記憶ステップと、
前記移動体通信装置が、前記移動体通信装置の記憶装置に記憶された利用者識別情報を無線通信により前記基地局装置に送信する移動体送信ステップと、
前記基地局装置が、前記移動体通信装置により送信された利用者識別情報を無線通信により受信する基地局受信ステップと、
前記通行管理装置が、前記基地局装置により受信された利用者識別情報に基づいてどの利用者が前記所定の場所を通行したかを示す通行履歴情報を生成する通行履歴生成ステップと、
前記通行管理装置が、前記通行履歴生成ステップにより生成された通行履歴生成情報を前記通行管理装置の記憶装置に記憶する管理記憶ステップと、
前記通行管理装置が、前記通行管理装置の記憶装置に記憶された通行履歴情報を出力する管理出力ステップと、
前記通行管理装置が、前記基地局装置により受信された利用者識別情報に対する応答を生成する応答生成ステップと、
前記基地局装置が、前記通行管理装置により生成された応答を無線通信により前記移動体通信装置に送信する基地局送信ステップと、
前記移動体通信装置が、前記基地局装置により送信された応答を無線通信により受信する移動体受信ステップと、
前記移動体通信装置が、前記移動体受信ステップにより受信された応答に基づいて前記移動体が前記認証装置により認証された利用者を乗せた状態で通行することが許可されたかどうかを示す通行許可情報を出力する移動体出力ステップとを有することを特徴とする。
【００８９】
また、本実施の形態に係る移動体は、
所定の場所に設置された基地局装置と無線通信を行う移動体通信装置を備える移動体において、
前記移動体の複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記認証記憶部に記憶された利用者識別情報を前記移動体通信装置に転送する転送部とを有する認証装置とを備え、
前記移動体通信装置は、
前記認証装置により転送された利用者識別情報を記憶する移動体記憶部と、前記移動体記憶部に記憶された利用者識別情報を無線通信により前記基地局装置に送信する移動体送信部と、前記移動体送信部により送信された利用者識別情報に対する応答を無線通信により前記基地局装置から受信する移動体受信部と、前記移動体受信部により受信された応答に基づいて前記移動体が前記認証装置により認証された利用者を乗せた状態で通行することが許可されたかどうかを示す通行許可情報を出力する移動体出力部とを有することを特徴とする。
【００９０】
前記認証装置は、さらに、
前記認証記憶部に記憶された利用者識別情報を前記移動体通信装置に転送することを命令する転送命令を入力する認証入力部を有し、
前記認証装置の転送部は、前記認証入力部により入力された転送命令に従って前記認証記憶部に記憶された利用者識別情報を前記移動体通信装置に転送することを特徴とする。
【００９１】
前記移動体通信装置は、さらに、
前記移動体記憶部に記憶された利用者識別情報を削除することを命令する削除命令を入力する移動体入力部と、前記移動体入力部により入力された削除命令に従って前記移動体記憶部に記憶された利用者識別情報を削除する移動体削除部とを有することを特徴とする。
【００９２】
前記移動体通信装置の移動体出力部は、前記通行許可情報を音と光と文字との少なくともいずれかにより出力することを特徴とする。
【００９３】
前記移動体は、バスであることを特徴とする。
【００９４】
また、本実施の形態に係る移動体機器は、
所定の場所に設置された基地局装置と無線通信を行う移動体通信装置を具備する移動体に設置される移動体機器において、
前記移動体の複数の利用者の各利用者を識別する利用者識別情報を予め記憶する記録媒体から前記利用者識別情報を読み取る媒体読取部を有する媒体読取装置と、
前記複数の利用者の少なくとも一部の利用者識別情報を予め登録して記憶する認証登録部と、前記媒体読取装置により読み込まれた利用者識別情報を前記認証登録部に記憶された利用者識別情報と照合する認証照合部と、前記認証照合部による照合の結果に基づいて前記複数の利用者の各利用者を認証する認証部と、前記認証部により認証された利用者の利用者識別情報を記憶する認証記憶部と、前記移動体通信装置が前記基地局装置に無線通信により送信するための前記認証記憶部に記憶された利用者識別情報を前記移動体通信装置に転送する転送部とを有する認証装置とを備えることを特徴とする。
【００９５】
前記媒体読取装置は、さらに、
前記媒体読取部により前記利用者識別情報が正常に読み取られたかどうかを示す読取結果情報を出力する読取出力部を有することを特徴とする。
【００９６】
前記認証装置は、さらに、
前記認証部による認証の結果を示す認証結果情報を出力する認証出力部を有することを特徴とする。
【００９７】
前記記録媒体は、非接触ＩＣカードであり、
前記媒体読取装置は、非接触ＩＣカードリーダであることを特徴とする。
【００９８】
前記認証装置は、さらに、
前記認証記憶部に記憶された利用者識別情報を削除することを命令する削除命令を入力する認証入力部と、前記認証入力部により入力された削除命令に従って前記認証記憶部に記憶された利用者識別情報を削除する認証削除部とを有することを特徴とする。
【００９９】
前記媒体読取装置の読取出力部は、前記読取結果情報を音と光と文字との少なくともいずれかにより出力することを特徴とする。
【０１００】
前記認証装置の認証出力部は、前記認証結果情報を音と光と文字との少なくともいずれかにより出力することを特徴とする。
【０１０１】
実施の形態２．
本実施の形態に係る通行管理システムについて、主に実施の形態１で説明した通行管理システムとの差異を説明する。
【０１０２】
図２１は、本実施の形態に係る基地局装置及び通行管理装置の構成を示すブロック図である。
【０１０３】
本実施の形態において、路側機７００は、実施の形態１で説明したものと同様である。
【０１０４】
センターサーバ８００は、記憶装置８０１、通行履歴生成部８０４、管理出力部８０５、応答生成部８０６、管理受信部８０７、管理送信部８０８、管理入力部８０９に加えて、管理照合部８１０、判定部８１１、時刻生成部８１２を有する。記憶装置８０１は、管理記憶部８０２に加えて、管理登録部８０３を含む。
【０１０５】
図２２及び図２３は、本実施の形態に係る通行管理装置の動作を示すフロー図である。
【０１０６】
センターサーバ８００において、記憶装置８０１の管理登録部８０３は、従業員１０２ａ〜ｃの従業員ＩＤと複数のバス１００の車載器ＩＤとを予め登録して記憶する（ステップＳ８０７：管理登録ステップ（処理））。
【０１０７】
管理受信部８０７は、路側機７００が車載器５００から無線通信により受信した従業員ＩＤと車載器ＩＤとを路側機７００から受信する（ステップＳ８０８：管理受信ステップ（処理））。管理照合部８１０は、管理受信部８０７により受信された従業員ＩＤと車載器ＩＤとを、それぞれ記憶装置８０１の管理登録部８０３に記憶された従業員ＩＤと車載器ＩＤと照合する（ステップＳ８０９：管理照合ステップ（処理））。判定部８１１は、管理照合部８１０による照合の結果に基づいてバス１００がＩＤ認証装置４００により認証された従業員１０２を乗せた状態で入退場門６０２を通行することを許可するかどうかを判定する（ステップＳ８１０：判定ステップ（処理））。応答生成部８０６は、管理受信部８０７により受信された従業員ＩＤと車載器ＩＤとに対する応答として、判定部８１１による判定の結果を示す判定結果情報を生成する（ステップＳ８１１：応答生成ステップ（処理））。管理送信部８０８は、応答生成部８０６により生成された判定結果情報を路側機７００に送信する（ステップＳ８１２：管理送信ステップ（処理））。
【０１０８】
時刻生成部８１２は、時刻を示す時刻情報を生成する（ステップＳ８１３：時刻生成ステップ（処理））。通行履歴生成部８０４は、管理受信部８０７により受信された従業員ＩＤと車載器ＩＤと時刻生成部８１２により生成された時刻情報と判定部８１１による判定の結果とに基づいてどの従業員がどの移動体を利用して何時に入退場門６０２を通行したかを示す通行履歴情報を生成する（ステップＳ８１４：通行履歴生成ステップ（処理））。記憶装置８０１の管理記憶部８０２は、通行履歴生成部８０４により生成された通行履歴情報を記憶する（ステップＳ８１５：管理記憶ステップ（処理））。管理出力部８０５は、記憶装置８０１の管理記憶部８０２に記憶された通行履歴情報を出力する（ステップＳ８１６：管理出力ステップ（処理））。
【０１０９】
ここで、ステップＳ８１０からＳ８１２までにおいて、判定部８１１による判定処理、応答生成部８０６による応答生成処理、管理送信部８０８による管理送信処理は、自動的に行ってもよいが、実施の形態１で説明したように、守衛６０１やセンターサーバ８００が設置されたセンターにいる管理者などが、図１９に例示したセンターサーバ画面８１３に表示された情報を参考に、従業員１０２ａ〜ｃが乗車したバス１００の通行を許可してもよいかどうかを確認した上で行ってもよい。この場合、実施の形態１と同様に、守衛６０１などは、バス１００の通行を許可する場合には通行許可ボタン８１４を押下する。通行許可ボタン８１４が押下された場合には、管理入力部８０９がバス１００の通行が許可されたことを示す通行許可通知情報を入力し、この通行許可通知情報は判定結果情報に反映される。
【０１１０】
このように、バス１００において、移動体機器２００が、従業員１０２ａ〜ｃの非接触ＩＣカード１０３から読み取った情報に基づいて各従業員１０２を認証し、認証した従業員１０２に係る情報を車載器５００に転送し、車載器５００が、移動体機器２００により転送された情報を路側機７００に送信し、センターサーバ８００が、路側機７００が車載器５００から受信した情報を予め登録された情報と照合し、照合の結果に基づいてバス１００が移動体機器２００により認証された従業員１０２ａ〜ｃを乗せた状態で通行することを許可するかどうかを判定し、車載器５００が、判定の結果を示す情報を路側機７００から受信し、受信した情報に基づいてバス１００が移動体機器２００により認証された従業員１０２ａ〜ｃを乗せた状態で通行することが許可されたかどうかを示す情報を出力することにより、従業員１０２以外の入場が制限された会社６００の入退場門６０２を通行しようとするバス１００に正規の従業員１０２でない者が紛れ込んでいないかどうかを、その者の乗車の際及び通行の直前の２回確認できるため、従業員１０２以外の者などによる不正をより確実に防ぐことができる。
【０１１１】
以上のように、本実施の形態に係る通行管理システムは、実施の形態１で説明した通行管理システムにおいて、
前記通行管理装置は、さらに、
前記複数の利用者の少なくとも一部の利用者識別情報を予め登録して記憶する管理登録部と、前記基地局装置により受信された利用者識別情報を前記管理登録部に記憶された利用者識別情報と照合する管理照合部と、前記管理照合部による照合の結果に基づいて前記移動体が前記認証装置により認証された利用者を乗せた状態で前記所定の場所を通行することを許可するかどうかを判定する判定部とを有し、
前記通行管理装置の応答生成部は、前記応答として前記判定部による判定の結果を示す判定結果情報を生成することを特徴とする。
【０１１２】
前記通行管理装置の管理登録部は、複数の移動体の移動体識別情報を予め登録して記憶し、
前記通行管理装置の管理照合部は、前記基地局装置により受信された移動体識別情報を前記管理登録部に記憶された移動体識別情報と照合することを特徴とする。
【０１１３】
また、本実施の形態に係る通行管理装置は、
移動体の複数の利用者による所定の場所の通行を管理する通行管理装置において、
前記所定の場所に設置された基地局装置が前記移動体に具備された移動体通信装置から無線通信により受信した前記複数の利用者の各利用者を識別する利用者識別情報を前記基地局装置から受信する管理受信部と、
前記複数の利用者の少なくとも一部の利用者識別情報を予め登録して記憶する管理登録部と、
前記管理受信部により受信された利用者識別情報を前記管理登録部に記憶された利用者識別情報と照合する管理照合部と、
前記管理照合部による照合の結果に基づいて前記移動体が前記複数の利用者を乗せた状態で前記所定の場所を通行することを許可するかどうかを判定する判定部と、
前記判定部による判定の結果を示す判定結果情報を前記基地局装置に送信する管理送信部とを有することを特徴とする。
【０１１４】
前記通行管理装置は、さらに、
前記管理受信部により受信された利用者識別情報と前記判定部による判定の結果とに基づいてどの利用者が前記所定の場所を通行したかを示す通行履歴情報を生成する通行履歴生成部と、
前記通行履歴生成部により生成された通行履歴情報を記憶する管理記憶部と、
前記管理記憶部に記憶された通行履歴情報を出力する管理出力部とを有することを特徴とする。
【０１１５】
前記管理受信部は、前記基地局装置が前記移動体通信装置から無線通信により受信した前記移動体を識別する移動体識別情報を受信し、
前記管理登録部は、複数の移動体の移動体識別情報を予め登録して記憶し、
前記管理照合部は、前記管理受信部により受信された移動体識別情報を前記管理登録部に記憶された移動体識別情報と照合し、
前記通行履歴生成部は、前記管理受信部により受信された利用者識別情報と移動体識別情報と前記判定部による判定の結果とに基づいて、どの利用者がどの移動体を利用して前記所定の場所を通行したかを示す通行履歴情報を生成することを特徴とする請求項１６に記載の通行管理装置。
【０１１６】
前記通行管理装置は、さらに、
時刻を示す時刻情報を生成する時刻生成部を有し、
前記通行履歴生成部は、前記管理受信部により受信された利用者識別情報と前記時刻生成部により生成された時刻情報と前記判定部による判定の結果とに基づいて、どの利用者が何時に前記所定の場所を通行したかを示す通行履歴情報を生成することを特徴とする。
【０１１７】
また、本実施の形態に係る通行管理プログラムは、
移動体の複数の利用者による所定の場所の通行を管理するコンピュータにより実行される通行管理プログラムにおいて、
前記所定の場所に設置された基地局装置が前記移動体に具備された移動体通信装置から無線通信により受信した前記複数の利用者の各利用者を識別する利用者識別情報を前記基地局装置から受信する管理受信処理と、
前記複数の利用者の少なくとも一部の利用者識別情報を予め記憶装置に登録して記憶する管理登録処理と、
前記管理受信処理により受信された利用者識別情報を前記記憶装置に記憶された利用者識別情報と照合する管理照合処理と、
前記管理照合処理による照合の結果に基づいて前記移動体が前記複数の利用者を乗せた状態で前記所定の場所を通行することを許可するかどうかを判定する判定処理と、
前記判定処理による判定の結果を示す判定結果情報を前記基地局装置に送信する管理送信処理とをコンピュータに実行させることを特徴とする。
【０１１８】
実施の形態３．
実施の形態３から９では、実施の形態１及び２に係る通行管理システムと同様にＤＳＲＣと非接触ＩＣカードを利用した移動体運行サービス管理システムについて説明する。
【０１１９】
図２４は、本実施の形態に係る移動体運行サービス管理システムの構成を示す図である。
【０１２０】
乗車状況監視システム１００１（移動体運行サービス管理システムの一例）において、ＤＳＲＣ路側無線装置１２０１、運行サービス管理サーバ１２０２、停留所表示器１２０３はインターネット９４０（ネットワークの一例）を介して接続される。発券機カードＲ／Ｗ１１０２（カードＲ／Ｗの一例）、精算機カードＲ／Ｗ１１０３（カードＲ／Ｗの一例）、ＤＳＲＣ車載器１１０４、表示部１１０５、監視カメラ１１０６はバス１１００（移動体の一例）に具備される。
【０１２１】
バス１１００の運転手や乗客（同乗者）などの利用者は、それぞれを識別するＩＤが格納された非接触ＩＣカード１１０１（ＩＤカードの一例）を所持する。非接触ＩＣカード１１０１に格納されたＩＤは、事前に運行サービスセンター（以下、センターという。）に登録されている。より具体的には、このＩＤは、センターに設置された運行サービス管理サーバ１２０２又は運行サービス管理サーバ１２０２がデータの保管に用いるデータベースに予め記憶されている。運行サービス管理サーバ１２０２は、このＩＤを用いて、利用者がバス１１００に乗ったこと又はバス１１００から降りたこと（以下、バス１１００への乗降という。）を把握し、乗車状況を管理する。
【０１２２】
利用者は、バス１１００に乗るときに、非接触ＩＣカード１１０１を発券機カードＲ／Ｗ１１０２にかざす。また、バス１１００から降りるときに、非接触ＩＣカード１１０１を精算機カードＲ／Ｗ１１０３にかざす。カードＲ／Ｗは、非接触ＩＣカード１１０１からＩＤを読み取り、読み取ったＩＤを記憶装置などに蓄積したり、蓄積したＩＤをＤＳＲＣ車載器１１０４に転送したり、蓄積したＩＤを削除したり、非接触ＩＣカード１１０１にデータを書き込んだりする。ＩＤの転送処理は、バス１１００の運転手が転送ボタンを押下したときに行われてもよいし、任意の時点で自動的に行われてもよい。また、ＩＤの削除処理は、バス１１００の運転手が削除ボタンを押下したときに行われてもよいし、任意の時点で自動的に行われてもよい。
【０１２３】
ＤＳＲＣ路側無線装置１２０１はバス１１００の各停留所に設置され、センターと（即ち、運行サービス管理サーバ１２０２と）インターネット９４０を介して接続される。ＤＳＲＣ路側無線装置１２０１は、停留所に停車したバス１１００のＤＳＲＣ車載器１１０４から、カードＲ／ＷからそのＤＳＲＣ車載器１１０４に転送された各利用者のＩＤをＤＳＲＣにより取得し、取得したＩＤを運行サービス管理サーバ１２０２に送信する。
【０１２４】
運行サービス管理サーバ１２０２は、ＤＳＲＣ路側無線装置１２０１から送信されたＩＤと登録済みのＩＤとを比較して、バス１１００に乗車している利用者の人数や各利用者のＩＤなどを管理する（バス１１００の特定は、ＤＳＲＣ車載器１１０４から利用者のＩＤとともに送信される車載器ＩＤを用いて行う。）。そして、そのＩＤを送信したＤＳＲＣ路側無線装置１２０１が設置された停留所を特定することにより、各停留所におけるバス１１００の乗車人数及び降車人数を把握し、利用者ごとの乗車料金を計算する。
【０１２５】
ここで、運行サービス管理サーバ１２０２は、予め各利用者のクレジットカード情報を登録し、利用者ごとの乗車料金を計算する際に、あわせてその乗車料金の決済処理を行ってもよい。運行サービス管理サーバ１２０２は、決済処理の前に、予め利用者のＩＤに対応するクレジットカード番号に対してネガチェック（与信）を行う。ネガチェックの結果が異常（決済不可）であった場合は、バス１１００が次に停車する停留所で、その停留所に設置されたＤＳＲＣ路側無線装置１２０１を介してその旨をバス１１００に通知する。通知された情報は、ＤＳＲＣ車載器１１０４により表示部１１０５に表示されるか、ＤＳＲＣ車載器１１０４からカードＲ／Ｗに転送されてカードＲ／Ｗにより表示部１１０５に表示される。バス１１００の運転手は、表示された情報に応じて、利用者に現金での精算を要求することができる。
【０１２６】
また、運行サービス管理サーバ１２０２は、バス１１００が各停留所に停車した時刻を記録し、予め設定された時刻表などの情報に基づいて、バス１１００が到着する時刻を予測して、予測した時刻などをバス１１００がこれから通る停留所に設置された停留所表示器１２０３に送信して、表示させてもよい。あるいは、同様に、バス１１００の現在地を表示させてもよい。これにより、利用者は、自分が乗りたいバス１１００の停留所への到着予想時刻など、運行状況を把握できるため、道路渋滞時などに停留所での待ち時間を減らすことができる。
【０１２７】
本実施の形態では、バス１１００に設置されたＤＳＲＣ車載器１１０４は、カードＲ／Ｗにより読み取られたＩＤだけでなく、バスジャック対策として、監視カメラ１１０６が撮影した静止画像又は動画像を、ＤＳＲＣ路側無線装置１２０１を介して運行サービス管理サーバ１２０２に送信してもよい。
【０１２８】
本実施の形態では、バス１１００の利用者は、ＩＤカードを使用して、図示していない乗車エントリ端末などを用いてバス１１００の乗車予約を行ってもよい。乗車予約をした利用者のＩＤは乗車エントリ端末から運行サービス管理サーバ１２０２に送信される。運行サービス管理サーバ１２０２はこのＩＤを管理するとともに、予め利用者の携帯電話のメールアドレスを登録しておき、その利用者が乗車予約したバス１１００が所定の停留所に接近する数分前に、登録されている利用者の携帯電話に対してバス１１００が接近したことを通知するメールを送信する。これにより、利用者は、自分が乗りたいバス１１００の停留所への到着予想時刻など、運行状況を把握できるため、道路渋滞時などに停留所での待ち時間を減らすことができる。
【０１２９】
実施の形態４．
図２５は、本実施の形態に係る移動体運行サービス管理システムの構成を示す図である。
【０１３０】
乗車実績売上集計自動収集システム１００２（移動体運行サービス管理システムの一例）において、ＤＳＲＣ路側無線装置１２０１、運行サービス管理サーバ１２０２はインターネット９４０（ネットワークの一例）を介して接続される。発券機カードＲ／Ｗ１１０２（カードＲ／Ｗの一例）、精算機カードＲ／Ｗ１１０３（カードＲ／Ｗの一例）、ＤＳＲＣ車載器１１０４、表示部１１０５はバス１１００（移動体の一例）に具備される。
【０１３１】
図２５において実施の形態３で説明した各装置（又は各部）の機能及び動作は実施の形態３のものと同様である。本実施の形態では、さらに、カードＲ／Ｗが主に現金で精算した乗車料金の実績額を１日の売上金額として集計した結果など、売上に関する情報を、ＤＳＲＣ車載器１１０４からＤＳＲＣ路側無線装置１２０１を介して運行サービス管理サーバ１２０２に自動的に送信する。運行サービス管理サーバ１２０２は、収集した売上に関する情報をまとめて管理する。
【０１３２】
実施の形態５．
図２６は、本実施の形態に係る移動体運行サービス管理システムの構成を示す図である。
【０１３３】
路線内交通状況監視提供システム１００３（移動体運行サービス管理システムの一例）において、ＤＳＲＣ路側無線装置１２０１、運行サービス管理サーバ１２０２はインターネット９４０（ネットワークの一例）を介して接続される。ＤＳＲＣ車載器１１０４、表示部１１０５、車内放送制御部１１０７、音声出力部１１０８はバス１１００（移動体の一例）に具備される。
【０１３４】
図２６において実施の形態３で説明した各装置（又は各部）の機能及び動作は実施の形態３のものと同様である。本実施の形態では、さらに、運行サービス管理サーバ１２０２が、バス１１００の行き先に応じて、バス１１００の路線内の交通状況（渋滞や事故などの交通障害）に関する情報を送信し、ＤＳＲＣ車載器１１０４が、ＤＳＲＣ路側無線装置１２０１を介してこの情報を受信する。車内放送制御部１１０７は、ＤＳＲＣ車載器１１０４が受信した情報に基づいて、路線内の交通状況を表示部１１０５に表示したり、音声出力部１１０８により音声で案内したりする。
【０１３５】
実施の形態６．
図２７は、本実施の形態に係る移動体運行サービス管理システムの構成を示す図である。
【０１３６】
バス運行計画設定システム１００４（移動体運行サービス管理システムの一例）において、ＤＳＲＣ路側無線装置１２０１、運行サービス管理サーバ１２０２はインターネット９４０（ネットワークの一例）を介して接続される。ＤＳＲＣ車載器１１０４、表示部１１０５、車内放送制御部１１０７、音声出力部１１０８はバス１１００（移動体の一例）に具備される。
【０１３７】
図２７において実施の形態５で説明した各装置（又は各部）の機能及び動作は実施の形態５のものと同様である。本実施の形態では、さらに、運行サービス管理サーバ１２０２が、バスセンターやバスロータリーに設置されたＤＳＲＣ路側無線装置１２０１を介して、バス１１００の運行計画に関する情報をＤＳＲＣ車載器１１０４に配信する。車内放送制御部１１０７は、ＤＳＲＣ車載器１１０４が受信した情報に基づいて、表示部１１０５に表示したり、音声出力部１１０８により音声で案内したりするためのバス１１００の路線表示、運賃表、行き先案内（放送データ）などを更新する。
【０１３８】
実施の形態７．
図２８は、本実施の形態に係る移動体運行サービス管理システムの構成を示す図である。
【０１３９】
空港行きバス用チェックインシステム１００５（移動体運行サービス管理システムの一例）において、ＤＳＲＣ路側無線装置１２０１、運行サービス管理サーバ１２０２はインターネット９４０（ネットワークの一例）を介して接続される。ＤＳＲＣ車載器１１０４、表示部１１０５、ＩＣカードＲ／Ｗ１１０９（カードＲ／Ｗの一例）、航空券リーダ１１１０はバス１１００（移動体の一例）に具備される。
【０１４０】
図２８において実施の形態３で説明した各装置（又は各部）の機能及び動作は実施の形態３のものと同様である。本実施の形態では、さらに、ＩＣカードＲ／Ｗ１１０９が、航空券を兼ねる非接触ＩＣカード１１０１から読み取ったＩＤに基づいてフライトのチェックイン処理の要求を、ＤＳＲＣ車載器１１０４からＤＳＲＣ路側無線装置１２０１を介して運行サービス管理サーバ１２０２に送信する。運行サービス管理サーバ１２０２は、受信した要求に基づいてチェックイン処理を代行する。利用者の航空券が、非接触ＩＣカード１１０１とは別の磁気付きのものである場合は、航空券リーダ１１１０が、航空券から読み取った情報に基づき、同様にチェックイン処理の要求を運行サービス管理サーバ１２０２に送信する。これにより、利用者は空港に到着する前にチェックイン手続を済ませることができ、利便性が向上する。
【０１４１】
ここで、運行サービス管理サーバ１２０２は、チェックイン処理の結果などに基づいて、どの利用者がどの空港ターミナル（降車場）でバス１１００を降りるかということを示す情報を、ＤＳＲＣ路側無線装置１２０１を介してＤＳＲＣ車載器１１０４に送信し、ＤＳＲＣ車載器１１０４がその情報をバス１１００の運転手に通知してもよい。
【０１４２】
実施の形態８．
図２９は、本実施の形態に係る移動体運行サービス管理システムの構成を示す図である。
【０１４３】
空港行きバス用チェックインシステム１００５（移動体運行サービス管理システムの一例）において、ＤＳＲＣ路側無線装置１２０１、運行サービス管理サーバ１２０２、バス券発券機１２０４（券売機）はインターネット９４０（ネットワークの一例）を介して接続される。航空券リーダ１２０５は、バス券発券機１２０４に、残席数表示機１２０６は、ＤＳＲＣ路側無線装置１２０１に接続される。ＤＳＲＣ車載器１１０４、表示部１１０５、バス券読取機１１１１はバス１１００（移動体の一例）に具備される。
【０１４４】
図２９において実施の形態３で説明した各装置（又は各部）の機能及び動作は実施の形態３のものと同様である。本実施の形態では、さらに、航空券リーダ１２０５が、利用者の航空券から情報を読み取り、バス券発券機１２０４が、バス券を発行するとともに、航空券から読み取られた情報とバス１１００に関する情報を、インターネット９４０を介して運行サービス管理サーバ１２０２に送信する。運行サービス管理サーバ１２０２は、受信した情報に基づいてチェックイン処理を代行するとともに、どの利用者がどの空港ターミナル（降車場）でバス１１００を降りるかということを示す情報を、ＤＳＲＣ路側無線装置１２０１を介してＤＳＲＣ車載器１１０４に送信し、ＤＳＲＣ車載器１１０４がその情報をバス１１００の運転手に通知する。
【０１４５】
バス券読取機１１１１は、バス１１００に乗車した利用者のバス券を読み取り、バス券に記憶された情報をＤＳＲＣ車載器１１０４からＤＳＲＣ路側無線装置１２０１を介して運行サービス管理サーバ１２０２に送信する。運行サービス管理サーバ１２０２は、受信した情報に基づいてバス１１００の残席数を計算し、計算結果をＤＳＲＣ路側無線装置１２０１に通知する。ＤＳＲＣ路側無線装置１２０１は、通知された計算結果を基に、残席数表示機１２０６にバス１１００の残席数を表示させる。
【０１４６】
実施の形態９．
図３０は、本実施の形態に係る移動体運行サービス管理システムの構成を示す図である。
【０１４７】
停留所案内システム１００４（移動体運行サービス管理システムの一例）において、ＤＳＲＣ路側無線装置１２０１、運行サービス管理サーバ１２０２はインターネット９４０（ネットワークの一例）を介して接続される。ＤＳＲＣ車載器１１０４、車内放送制御部１１０７、音声出力部１１０８、運賃表示部１１１２、停留所表示部１１１３はバス１１００（移動体の一例）に具備される。
【０１４８】
図３０において実施の形態５で説明した各装置（又は各部）の機能及び動作は実施の形態５のものと同様である。本実施の形態では、さらに、運行サービス管理サーバ１２０２が、ＤＳＲＣ路側無線装置１２０１を介して、そのＤＳＲＣ路側無線装置１２０１が設置された停留所の次の停留所に関する情報（例えば、次の停留所までの運賃リスト、次の停留所における路線乗り換え情報やその停留所付近の広告、観光情報など）をＤＳＲＣ車載器１１０４に配信する。車内放送制御部１１０７は、例えばバス１１００が停車中の停留所を通過した（ＤＳＲＣ通信エリア外に出た）後に、ＤＳＲＣ車載器１１０４が受信した情報に基づいて、運賃リストを表示部１１０５に表示したり、音声出力部１１０８により音声で路線乗り換え情報や広告、観光情報を案内したりする。
【０１４９】
図３１は、上記実施の形態におけるセンターサーバの外観の一例を示す図である。
【０１５０】
図３１において、センターサーバ８００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６を備え、これらはケーブルで接続されている。さらに、センターサーバ８００は、ＦＡＸ機９３２、電話機９３１とケーブルで接続され、また、ＬＡＮ９４２、ゲートウェイ９４１を介してインターネット９４０に接続されている。
【０１５１】
図３２は、上記実施の形態におけるセンターサーバのハードウェア構成の一例を示す図である。
【０１５２】
図３２において、センターサーバ８００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６と接続されている。
【０１５３】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは「〜記憶部」の一例である。
【０１５４】
通信ボード９１５は、ＦＡＸ機９３２、電話機９３１、ＬＡＮ９４２などに接続されている。通信ボード９１５は、「〜入力部」、「〜出力部」、「〜受信部」、「〜送信部」の一例である。
【０１５５】
例えば、Ｋ／Ｂ９０２、ＦＤＤ９０４などは、「〜入力部」の一例である。また、例えば、ＣＲＴ表示装置９０１などは、「〜出力部」の一例である。
【０１５６】
ここで、通信ボード９１５は、ＬＡＮ９４２に限らず、直接、インターネット９４０、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）などのＷＡＮ（ワイドエリアネットワーク）に接続されていても構わない。直接、インターネット９４０、あるいはＩＳＤＮなどのＷＡＮに接続されている場合、センターサーバ８００は、インターネット９４０、あるいはＩＳＤＮなどのＷＡＮに接続され、ゲートウェイ９４１は不要となる。
【０１５７】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【０１５８】
上記プログラム群９２３には、上述した実施の形態の説明において「〜部」として説明する機能を実行するプログラムが記憶されている。プログラムは、ＣＰＵ９１１により読み出され実行される。
【０１５９】
例えば、ＣＰＵ９１１などは、制御部あるいは制御装置の一例である。
【０１６０】
ファイル群９２４には、上述した実施の形態の説明において、「〜情報」、「〜結果」として説明するものが、「〜ファイル」として記憶されている。
【０１６１】
また、上述した実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【０１６２】
また、上述した実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【０１６３】
また、上述した実施の形態を実施するプログラムは、磁気ディスク装置９２０、ＦＤ、光ディスク、ＣＤ、ＭＤ、ＤＶＤなどのその他の記録媒体による記録装置を用いて記憶されても構わない。
【０１６４】
上記実施の形態における移動体機器２００（特に、ＩＤ認証装置４００）、車載器５００のハードウェア構成は、図３２に示したものと同様であってもよい。この場合、例えば、図３２に示したＲＡＭ９１４、ＲＯＭ９１３、ＦＤＤ９０４、ＣＤＤ９０５、磁気ディスク装置９２０は、記憶装置あるいは「〜記憶部」の一例である。また、通信ボード９１５は、「〜入力部」、「〜出力部」、「〜受信部」、「〜送信部」の一例である。また、Ｋ／Ｂ９０２、ＦＤＤ９０４などは、「〜入力部」の一例である。また、ＣＲＴ表示装置９０１などは、「〜出力部」の一例である。そして、プログラム群９２３には、上述した実施の形態の説明において「〜部」として説明する機能を実行するプログラムが記憶されている。プログラムは、ＣＰＵ９１１により読み出され実行される。例えば、ＣＰＵ９１１などは、制御部あるいは制御装置の一例である。そして、ファイル群９２４には、上述した実施の形態の説明において、「〜情報」、「〜結果」として説明するものが、「〜ファイル」として記憶されている。
【図面の簡単な説明】
【０１６５】
【図１】実施の形態１に係る移動体の構成を示す図である。
【図２】実施の形態１に係る通行管理システムの構成を示す図である。
【図３】実施の形態１における出社時・バス乗車前の動作の一例を示すフロー図である。
【図４】実施の形態１における出社時・バス乗車時の動作の一例を示すフロー図である。
【図５】実施の形態１における出社時・会社入場時の動作の一例を示すフロー図である。
【図６】実施の形態１における出社時・会社入場時の動作の一例を示すフロー図である。
【図７】実施の形態１における帰宅時・バス乗車前の動作の一例を示すフロー図である。
【図８】実施の形態１における帰宅時・バス乗車時の動作の一例を示すフロー図である。
【図９】実施の形態１における帰宅時・会社退場時の動作の一例を示すフロー図である。
【図１０】実施の形態１における帰宅時・会社退場時の動作の一例を示すフロー図である。
【図１１】実施の形態１に係る移動体機器の構成を示すブロック図である。
【図１２】実施の形態１に係る媒体読取装置の動作を示すフロー図である。
【図１３】実施の形態１に係る認証装置の動作を示すフロー図である。
【図１４】実施の形態１に係る移動体通信装置の構成を示すブロック図である。
【図１５】実施の形態１に係る移動体通信装置の動作を示すフロー図である。
【図１６】実施の形態１に係る基地局装置及び通行管理装置の構成を示すブロック図である。
【図１７】実施の形態１に係る基地局装置の動作を示すフロー図である。
【図１８】実施の形態１に係る通行管理装置の動作を示すフロー図である。
【図１９】実施の形態１における通行管理装置の出力の一例を示す図である。
【図２０】実施の形態１における通行管理システムの構成例を示す図である。
【図２１】実施の形態２に係る基地局装置及び通行管理装置の構成を示すブロック図である。
【図２２】実施の形態２に係る通行管理装置の動作を示すフロー図である。
【図２３】実施の形態２に係る通行管理装置の動作を示すフロー図である。
【図２４】実施の形態３に係る移動体運行サービス管理システムの構成を示すブロック図である。
【図２５】実施の形態４に係る移動体運行サービス管理システムの構成を示すブロック図である。
【図２６】実施の形態５に係る移動体運行サービス管理システムの構成を示すブロック図である。
【図２７】実施の形態６に係る移動体運行サービス管理システムの構成を示すブロック図である。
【図２８】実施の形態７に係る移動体運行サービス管理システムの構成を示すブロック図である。
【図２９】実施の形態８に係る移動体運行サービス管理システムの構成を示すブロック図である。
【図３０】実施の形態９に係る移動体運行サービス管理システムの構成を示すブロック図である。
【図３１】各実施の形態における通行管理装置の外観の一例を示す図である。
【図３２】各実施の形態における通行管理装置のハードウェア構成の一例を示す図である。
【符号の説明】
【０１６６】
１００  バス、１０１  運転手、１０２  従業員、１０３  非接触ＩＣカード、２００  移動体機器、３００  カードＲ／Ｗ、３０１  媒体読取部、３０２  読取出力部、４００  ＩＤ認証装置、４０１  記憶装置、４０２  認証記憶部、４０３  認証登録部、４０４  認証照合部、４０５  認証部、４０６  転送部、４０７  認証入力部、４０８  認証出力部、４０９  認証削除部、５００  車載器、５０１  記憶装置、５０２  移動体記憶部、５０３  移動体登録部、５０４  移動体送信部、５０５  移動体受信部、５０６  移動体出力部、５０７  移動体入力部、５０８  移動体削除部、６００  会社、６０１  守衛、６０２  入退場門、７００  路側機、７０１  基地局受信部、７０２  基地局送信部、８００  センターサーバ、８０１  記憶装置、８０２  管理記憶部、８０３  管理登録部、８０４  通行履歴生成部、８０５  管理出力部、８０６  応答生成部、８０７  管理受信部、８０８  管理送信部、８０９  管理入力部、８１０  管理照合部、８１１  判定部、８１２  時刻生成部、８１３  センターサーバ画面、８１４  通行許可ボタン、９０１  ＣＲＴ表示装置、９０２  Ｋ／Ｂ、９０３  マウス、９０４  ＦＤＤ、９０５  ＣＤＤ、９０６  プリンタ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話機、９３２  ＦＡＸ機、９４０  インターネット、９４１  ゲートウェイ、９４２  ＬＡＮ、１００１  乗車状況監視システム、１００２  乗車実績売上集計自動収集システム、１００３  路線内交通状況監視提供システム、１００４  バス運行計画設定システム、１００５  空港行きバス用チェックインシステム、１００６  停留所案内システム、１１００  バス、１１０１  非接触ＩＣカード、１１０２  発券機カードＲ／Ｗ、１１０３  精算機カードＲ／Ｗ、１１０４  ＤＳＲＣ車載器、１１０５  表示部、１１０６  監視カメラ、１１０７  車内放送制御部、１１０８  音声出力部、１１０９  ＩＣカードＲ／Ｗ、１１１０  航空券リーダ、１１１１  バス券読取機、１１１２  運賃表示部、１１１３  停留所表示部、１２０１  ＤＳＲＣ路側無線装置、１２０２  運行サービス管理サーバ、１２０３  停留所表示器、１２０４  バス券発券機、１２０５  航空券リーダ、１２０６  残席数表示機。
【図１】
2007065705.tif 000003
【図２】
2007065705.tif 000004
【図３】
2007065705.tif 000005
【図４】
2007065705.tif 000006
【図５】
2007065705.tif 000007
【図６】
2007065705.tif 000008
【図７】
2007065705.tif 000009
【図８】
2007065705.tif 000010
【図９】
2007065705.tif 000011
【図１０】
2007065705.tif 000012
【図１１】
2007065705.tif 000013
【図１２】
2007065705.tif 000014
【図１３】
2007065705.tif 000015
【図１４】
2007065705.tif 000016
【図１５】
2007065705.tif 000017
【図１６】
2007065705.tif 000018
【図１７】
2007065705.tif 000019
【図１８】
2007065705.tif 000020
【図１９】
2007065705.tif 000021
【図２０】
2007065705.tif 000022
【図２１】
2007065705.tif 000023
【図２２】
2007065705.tif 000024
【図２３】
2007065705.tif 000025
【図２４】
2007065705.tif 000026
【図２５】
2007065705.tif 000027
【図２６】
2007065705.tif 000028
【図２７】
2007065705.tif 000029
【図２８】
2007065705.tif 000030
【図２９】
2007065705.tif 000031
【図３０】
2007065705.tif 000032
【図３１】
2007065705.tif 000033
【図３２】
2007065705.tif 000034